(57)【要約】【課題】移動通信システムにおいて、サービスを効果的に提供することができる装置及びその方法を提供する。【解決手段】本発明による端末の無線通信システムにおけるグラントフリー（Ｇｒａｎｔ−ｆｒｅｅ）基盤のデータ通信方法は、グラントフリー伝送資源の設定情報を受信する段階と、設定情報に基づいて、ＰＵＳＣＨ（ｐｈｙｓｉｃａｌ  ｕｐｌｉｎｋ  ｓｈａｒｅｄ  ｃｈａｎｎｅｌ）を送信するための伝送資源を選択する段階と、選択された伝送資源のスケジューリング情報を含む上向きリンク制御情報を伝送する段階と、選択された伝送資源を介して、ＰＵＳＣＨを伝送する段階と、を含む。【選択図】図９
2021533700.tif 000002
【特許請求の範囲】
【請求項１】
端末の無線通信システムにおけるグラントフリー（Ｇｒａｎｔ−ｆｒｅｅ）基盤のデータ通信方法において、
グラントフリー伝送資源の設定情報を受信する段階と、
前記設定情報に基づいて、ＰＵＳＣＨ（ｐｈｙｓｉｃａｌ  ｕｐｌｉｎｋ  ｓｈａｒｅｄ  ｃｈａｎｎｅｌ）を伝送するための伝送資源を選択する段階と、
前記選択された伝送資源のスケジューリング情報を含む上向きリンク制御情報（Ｕｐｌｉｎｋ  Ｃｏｎｔｒｏｌ  Ｉｎｆｏｒｍａｔｉｏｎ）を伝送する段階と、
前記選択された伝送資源を介して、前記ＰＵＳＣＨを伝送する段階と、を含むことを特徴とする方法。
【請求項２】
前記グラントフリー伝送資源の前記設定情報は、
前記グラントフリー伝送資源の時間資源領域及び周波数資源領域に係わる情報、並びに前記グラントフリー伝送資源に係わる周期情報を含み、
前記上向きリンク制御情報は、
前記選択された伝送資源の時間資源割り当て情報及び周波数資源割り当て情報を含み、前記グラントフリー伝送資源の領域が複数の部分資源を含む場合、前記選択された伝送資源のインデックス情報をさらに含み、
前記上向きリンク制御情報を伝送する段階は、
前記グラントフリー伝送資源の前記領域のうちの一部領域を介して、前記上向きリンク制御情報を伝送するものであることを特徴とする請求項１に記載の方法。
【請求項３】
前記グラントフリー伝送資源の前記時間資源領域及び前記周波数資源領域は、固定された資源領域と、柔軟な資源領域とを含み、
前記グラントフリー伝送資源の前記領域のうちの前記一部領域は、前記固定された資源領域を含み、
前記選択された伝送資源は、前記柔軟な資源領域を含むことを特徴とする請求項２に記載の方法。
【請求項４】
前記上向きリンク制御情報を伝送する段階は、
前記固定された資源領域を介して伝送されるＰＵＣＣＨ（ｐｈｙｓｉｃａｌ  ｕｐｌｉｎｋ  ｃｏｎｔｒｏｌ  ｃｈａｎｎｅｌ）、または前記固定された資源領域を介して伝送されるＰＵＳＣＨを介して、前記上向きリンク制御情報を伝送するものであることを特徴とする請求項３に記載の方法。
【請求項５】
前記方法は、
前記グラントフリー伝送資源の周波数資源領域に対応する資源領域、または前記選択された伝送資源の周波数資源領域に対応する資源領域において、ＤＭＲＳ（ｄｅｍｏｄｕｌａｔｉｏｎ  ｒｅｆｅｒｅｎｃｅ  ｓｉｇｎａｌ）またはプリアンブル（ｐｒｅａｍｂｌｅ）を伝送する段階をさらに含むことを特徴とする請求項２に記載の方法。
【請求項６】
前記方法は、
前記選択された伝送資源、及び前記ＰＵＳＣＨのＭＣＳ（ｍｏｄｕｌａｔｉｏｎ  ｃｏｄｉｎｇ  ｓｃｈｅｍｅ）に基づいて、前記ＰＵＳＣＨの伝送ブロックサイズを決定する段階をさらに含むことを特徴とする請求項１記載の方法。
【請求項７】
基地局の無線通信システムにおけるグラントフリー（Ｇｒａｎｔ−ｆｒｅｅ）基盤データ通信方法において、
グラントフリー伝送資源の設定情報を端末に送信する段階と、
前記設定情報に基づいて決定されたグラントフリー伝送資源領域において、前記端末のＰＵＳＣＨ（ｐｈｙｓｉｃａｌ  ｕｐｌｉｎｋ  ｓｈａｒｅｄ  ｃｈａｎｎｅｌ）が伝送されたか否かを判断する段階と、
前記判断の結果に基づいて、前記グラントフリー伝送資源領域の一部領域を介して、前記端末から上向きリンク制御情報を獲得する段階と、
前記上向きリンク制御情報に基づいて、前記端末から前記ＰＵＳＣＨを獲得する段階と、を含むことを特徴とする方法。
【請求項８】
前記グラントフリー伝送資源の前記設定情報は、
前記グラントフリー伝送資源の時間資源領域及び周波数資源領域に係わる情報、並びに前記グラントフリー伝送資源に係わる周期情報を含み、
前記グラントフリー伝送資源の前記時間資源領域及び前記周波数資源領域は、固定された資源領域と、柔軟な資源領域とを含むことを特徴とする請求項７に記載の方法。
【請求項９】
前記上向きリンク制御情報を獲得する段階は、
前記固定された資源領域を介して、前記上向きリンク制御情報を獲得するものであり、
前記上向きリンク制御情報に基づいて、前記端末から前記ＰＵＳＣＨを獲得する段階は、
前記柔軟な資源領域を介して、前記上向きリンク制御情報を獲得するものであることを特徴とする請求項８に記載の方法。
【請求項１０】
前記設定情報に基づいて決定された前記グラントフリー伝送資源領域において、前記端末の前記ＰＵＳＣＨが伝送されたか否かを判断する段階は、
前記グラントフリー伝送資源の周波数資源領域に対応する資源領域において、ＤＭＲＳ（ｄｅｍｏｄｕｌａｔｉｏｎ  ｒｅｆｅｒｅｎｃｅ  ｓｉｇｎａｌ）またはプリアンブル（ｐｒｅａｍｂｌｅ）が受信されたか否かに基づいて、前記端末から前記ＰＵＳＣＨが伝送されたか否かを判断するものであることを特徴とする請求項７に記載の方法。
【請求項１１】
無線通信システムにおけるグラントフリー（Ｇｒａｎｔ−ｆｒｅｅ）基盤データ通信方法を利用する端末において、
前記端末は、
送受信部と、
前記送受信部に結合されて、グラントフリー伝送資源の設定情報を受信し、前記設定情報に基づいて、ＰＵＳＣＨ（ｐｈｙｓｉｃａｌ  ｕｐｌｉｎｋ  ｓｈａｒｅｄ  ｃｈａｎｎｅｌ）を送信するための伝送資源を選択し、前記選択された伝送資源のスケジューリング情報を含む上向きリンク制御情報を伝送し、前記選択された伝送資源を介して、前記ＰＵＳＣＨを伝送するように設定された、少なくとも１つのコントローラと、を含むことを特徴とする端末。
【請求項１２】
前記グラントフリー伝送資源の前記設定情報は、
前記グラントフリー伝送資源の時間資源領域及び周波数資源領域に係わる情報、並びに前記グラントフリー伝送資源に係わる周期情報を含み、
前記上向きリンク制御情報は、
前記選択された伝送資源の時間資源割り当て情報及び周波数資源割り当て情報を含み、前記グラントフリー伝送資源の領域が複数の部分資源を含む場合、前記選択された伝送資源のインデックス情報をさらに含み、
前記コントローラは、
前記グラントフリー伝送資源の前記領域のうちの一部領域を介して、前記上向きリンク制御情報を伝送することを特徴とする請求項１１に記載の端末。
【請求項１３】
前記グラントフリー伝送資源の前記時間資源領域及び前記周波数資源領域は、固定された資源領域と、柔軟な資源領域と、を含み、
前記グラントフリー伝送資源の前記領域のうちの前記一部領域は、前記固定された資源領域を含み、
前記選択された伝送資源は、前記柔軟な資源領域を含むことを特徴とする請求項１２に記載の端末。
【請求項１４】
前記コントローラは、
前記固定された資源領域を介して伝送されるＰＵＣＣＨ（ｐｈｙｓｉｃａｌ  ｕｐｌｉｎｋ  ｃｏｎｔｒｏｌ  ｃｈａｎｎｅｌ）、または前記固定された資源領域を介して伝送されるＰＵＳＣＨを介して、前記上向きリンク制御情報を伝送することを特徴とする請求項１３に記載の端末。
【請求項１５】
無線通信システムにおけるグラントフリー（Ｇｒａｎｔ−ｆｒｅｅ）基盤データ通信方法を利用する基地局において、
前記基地局は、
送受信部と、
前記送受信部に結合されて、グラントフリー伝送資源の設定情報を端末に送信し、前記設定情報に基づいて決定されたグラントフリー伝送資源領域において、前記端末のＰＵＳＣＨ（ｐｈｙｓｉｃａｌ  ｕｐｌｉｎｋ  ｓｈａｒｅｄ  ｃｈａｎｎｅｌ）が伝送されたか否かを判断し、前記判断の結果に基づいて、前記グラントフリー伝送資源領域の一部領域を介して、前記端末から上向きリンク制御情報を獲得し、前記上向きリンク制御情報に基づいて、前記端末から前記ＰＵＳＣＨを獲得するように設定された、少なくとも１つのコントローラと、を含むことを特徴とする基地局。
【発明の詳細な説明】
【技術分野】
【０００１】
本発明は、無線通信システムにおける非直交多重接続（ＮＯＭＡ：ｎｏｎ−ｏｒｔｈｏｇｏｎａｌ  ｍｕｌｔｉｐｌｅ  ａｃｃｅｓｓ）支援のためのグラントフリー（ｇｒａｎｔ−ｆｒｅｅ）データチャネル伝送方法に関する。
【背景技術】
【０００２】
４Ｇ通信システム商用化以後、増加趨勢にある無線データトラフィック需要を充足するために、改善された５Ｇ通信システムまたはｐｒｅ−５Ｇ通信システムを開発するための努力がなされている。このような理由により、５Ｇ通信システムまたはｐｒｅ−５Ｇ通信システムは、４Ｇネットワーク以後（ｂｅｙｏｎｄ  ４Ｇ  ｎｅｔｗｏｒｋ）通信システム、またはＬＴＥ（登録商標）（ｌｏｎｇ  ｔｅｒｍ  ｅｖｏｌｕｔｉｏｎ）システム以後（ｐｏｓｔ  ＬＴＥ）のシステムと呼ばれている。高いデータ伝送率を達成するために、５Ｇ通信システムは、超高周波（ｍｍＷａｖｅ）帯域（例えば、６０ギガ（８０ＧＨｚ）帯域のようなもの）における具現が考慮されている。超高周波帯域における電波の経路損失を緩和させ、かつ電波の伝達距離を延長させるために、５Ｇ通信システムにおいては、ビームフォーミング（ｂｅａｍｆｏｒｍｉｎｇ）、巨大配列多重入出力（ｍａｓｓｉｖｅ  ＭＩＭＯ（ｍｕｌｔｉｐｌｅ−ｉｎｐｕｔ  ｍｕｌｔｉｐｌｅ−ｏｕｔｐｕｔ））、全次元多重入出力（ＦＤ−ＭＩＭＯ：ｆｕｌｌ  ｄｉｍｅｎｓｉｏｎａｌ  ＭＩＭＯ）、アレイアンテナ（ａｒｒａｙ  ａｎｔｅｎｎａ）、アナログビームフォーミング（ａｎａｌｏｇ  ｂｅａｍｆｏｒｍｉｎｇ）、及び大規模アンテナ（ｌａｒｇｅ  ｓｃａｌｅ  ａｎｔｅｎｎａ）の技術が論議されている。また、システムのネットワーク改善のために、５Ｇ通信システムにおいては、進化した小型セル、改善された小型セル（ａｄｖａｎｃｅｄ  ｓｍａｌｌ  ｃｅｌｌ）、クラウド無線アクセスネットワーク（ｃｌｏｕｄ  ＲＡＮ（ｒａｄｉｏ  ａｃｃｅｓｓ  ｎｅｔｗｏｒｋ））、超高密度ネットワーク（ｕｌｔｒａ−ｄｅｎｓｅ  ｎｅｔｗｏｒｋ）、機器間通信（Ｄ２Ｄ：ｄｅｖｉｃｅ  ｔｏ  ｄｅｖｉｃｅ  ｃｏｍｍｕｎｉｃａｔｉｏｎ）、無線バックホール、移動ネットワーク（ｍｏｖｉｎｇ  ｎｅｔｗｏｒｋ）、協力通信（ｃｏｏｐｅｒａｔｉｖｅ  ｃｏｍｍｕｎｉｃａｔｉｏｎ）、ＣｏＭＰ（ｃｏｏｒｄｉｎａｔｅｄ  ｍｕｌｔｉ−ｐｏｉｎｔｓ）、及び受信干渉除去（ｉｎｔｅｒｆｅｒｅｎｃｅ  ｃａｎｃｅｌｌａｔｉｏｎ）のような技術開発がなされている。それ以外にも、５Ｇシステムにおいては、進歩したコーディング変調（ＡＣＭ：ａｄｖａｎｃｅｄ  ｃｏｄｉｎｇ  ｍｏｄｕｌａｔｉｏｎ）方式であるＦＱＡＭ（ｈｙｂｒｉｄ  ＦＳＫ  ａｎｄ  ＱＡＭ  ｍｏｄｕｌａｔｉｏｎ）及びＳＷＳＣ（ｓｌｉｄｉｎｇ  ｗｉｎｄｏｗ  ｓｕｐｅｒｐｏｓｉｔｉｏｎ  ｃｏｄｉｎｇ）、並びに進歩した接続技術であるＦＢＭＣ（ｆｉｌｔｅｒ  ｂａｎｋ  ｍｕｌｔｉ  ｃａｒｒｉｅｒ）、ＮＯＭＡ（ｎｏｎ−ｏｒｔｈｏｇｏｎａｌ  ｍｕｌｔｉｐｌｅ  ａｃｃｅｓｓ）及びＳＣＭＡ（ｓｐａｒｓｅ  ｃｏｄｅ  ｍｕｌｔｉｐｌｅ  ａｃｃｅｓｓ）などが開発されている。
【０００３】
一方、インターネットは、人間が情報を生成して消費する人間中心の連結網において、事物のような分散された構成要素間において情報をやり取りして処理する物のインターネット（ＩｏＴ（ｉｎｔｅｒｎｅｔ  ｏｆ  ｔｈｉｎｇｓ））網に進化している。クラウドサーバなどとの連結を介したビッグデータ（ｂｉｇ  ｄａｔａ）処理技術などがＩｏＴ技術に結合されたＩｏＥ（ｉｎｔｅｒｎｅｔ  ｏｆ  ｅｖｅｒｙｔｈｉｎｇ）技術も出てきている。ＩｏＴを具現するために、センシング技術、有線／無線通信及びネットワークインフラ、サービスインターフェース技術、並びに保安技術のような技術要素が要求され、最近では、事物間連結のためのセンサネットワーク（ｓｅｎｓｏｒ  ｎｅｔｗｏｒｋ）、事物通信（Ｍ２Ｍ：ｍａｃｈｉｎｅ  ｔｏ  ｍａｃｈｉｎｅ）、ＭＴＣ（ｍａｃｈｉｎｅ  ｔｙｐｅ  ｃｏｍｍｕｎｉｃａｔｉｏｎ）などの技術が研究されている。ＩｏＴ環境においては、連結された事物において生成されたデータを収集、分析し、人間の生活に新たな価値を新たに創出する知能型ＩＴ（ｉｎｔｅｒｎｅｔ  ｔｅｃｈｎｏｌｏｇｙ）サービスが提供されうる。ＩｏＴは、既存のＩＴ（ｉｎｆｏｒｍａｔｉｏｎ  ｔｅｃｈｎｏｌｏｇｙ）技術と、多様な産業との融合及び複合を介して、スマートホーム、スマートビルディング、スマートシティ、スマートカーまたはコネックティッドカー、スマートグリッド、ヘルスケア、スマート家電、先端医療サービスのような分野にも応用される。
【０００４】
このため、５Ｇ通信システムをＩｏＴ網に適用するための多様な試みがなされている。例えば、センサネットワーク、事物通信（Ｍ２Ｍ）、ＭＴＣのような技術が５Ｇ通信技術であるビームフォーミング、ＭＩＭＯ、及びアレイアンテナなどの技法によって具現されている。上述のビッグデータ処理技術として、クラウド無線アクセスネットワーク（ｃｌｏｕｄ  ＲＡＮ）が適用されるのも、５Ｇ技術とＩｏＴ技術との融合の一例と言えるであろう。
【０００５】
上述のような無線通信システムの発展により、多様なサービスが提供可能となり、そのようなサービスを円滑に提供するための方案が要求されている。
【発明の概要】
【発明が解決しようとする課題】
【０００６】
本発明は、移動通信システムにおいて、サービスを効果的に提供することができる装置及びその方法を提供する。
【課題を解決するための手段】
【０００７】
本発明は、グラントフリー基盤データ通信方法を提供する。
【発明の効果】
【０００８】
本発明によれば、移動通信システムにおいて、効果的にサービスを提供することができる。
【図面の簡単な説明】
【０００９】
【図１】本発明の一実施形態による、５Ｇにおいて、時間・周波数領域の基本構造を示す図である。
【図２】本発明の一実施形態による、５Ｇにおけるスロット構造を示す図である。
【図３】本発明の一実施形態による、５Ｇにおける直交多重接続モードにおける送信機の構造を示す図である。
【図４】本発明の一実施形態による、５Ｇにおける非直交多重接続モードにおける送信機構造を示す図である。
【図５】本発明の一実施形態による、５Ｇにおける非直交多重接続モードにおける受信機構造を示す図である。
【図６】本発明の一実施形態による、５Ｇにおけるグラントフリー基盤伝送方法の一例を示す図である。
【図７】本発明の第１実施例によるグラントフリー基盤伝送方法の一例を示す図である。
【図８】本発明の第１−１実施例による探索空間を示す図である。
【図９】本発明の第１−１実施例による基地局及び端末の動作を示す図である。
【図１０】本発明の第１−２実施例によるグラントフリー基盤ＰＵＳＣＨ伝送について説明するために示す図である。
【図１１】本発明の第１−２実施例による基地局及び端末の動作を示す図である。
【図１２】本発明の一部実施形態による端末の内部構造を示すブロック図である。
【図１３】本発明の一部実施形態による基地局の内部構造を示すブロック図である。
【発明を実施するための形態】
【００１０】
本発明の一実施形態による方法は、端末の無線通信システムにおけるグラントフリー（ｇｒａｎｔ−ｆｒｅｅ）基盤データ通信方法において、グラントフリー伝送資源の設定情報を受信する段階と、前記設定情報に基づいて、ＰＵＳＣＨ（ｐｈｙｓｉｃａｌ  ｕｐｌｉｎｋ  ｓｈａｒｅｄ  ｃｈａｎｎｅｌ）を伝送するための伝送資源を選択する段階と、前記選択された伝送資源のスケジューリング情報を含む上向きリンク制御情報（ｕｐｌｉｎｋ  ｃｏｎｔｒｏｌ  ｉｎｆｏｒｍａｔｉｏｎ）を伝送する段階と、前記選択された伝送資源を介して、前記ＰＵＳＣＨを伝送する段階と、を含むことを特徴とする。
【００１１】
前記グラントフリー伝送資源の前記設定情報は、前記グラントフリー伝送資源の時間資源領域及び周波数資源領域に係わる情報、並びに前記グラントフリー伝送資源に係わる周期情報を含み、前記上向きリンク制御情報は、前記選択された伝送資源の時間資源割り当て情報及び周波数資源割り当て情報を含み、前記グラントフリー伝達資源の領域が複数の部分資源を含む場合、前記選択された伝送資源のインデックス情報をさらに含み、前記上向きリンク制御情報を伝送する段階は、前記グラントフリー伝送資源の前記領域のうちの一部領域を介して、前記上向きリンク制御情報を伝送するものであることが好ましい。
【００１２】
前記グラントフリー伝送資源の前記時間資源領域及び前記周波数資源領域は、固定された資源領域と、柔軟な資源領域とを含み、前記グラントフリー伝送資源の前記領域のうちの前記一部領域は、前記固定された資源領域を含み、前記選択された伝送資源は、前記柔軟な資源領域を含みうる。
【００１３】
前記上向きリンク制御情報を伝送する段階は、前記固定された資源領域を介して伝送されるＰＵＣＣＨ（ｐｈｙｓｉｃａｌ  ｕｐｌｉｎｋ  ｃｏｎｔｒｏｌ  ｃｈａｎｎｅｌ）、または前記固定された資源領域を介して伝送されるＰＵＳＣＨを介して、前記上向きリンク制御情報を伝送するものであることが好ましい。
【００１４】
前記方法は、前記グラントフリー伝送資源の周波数資源領域に対応する資源領域、または前記選択された伝送資源の周波数資源領域に対応する資源領域において、ＤＭＲＳ（ｄｅｍｏｄｕｌａｔｉｏｎ  ｒｅｆｅｒｅｎｃｅ  ｓｉｇｎａｌ）またはプリアンブル（ｐｒｅａｍｂｌｅ）を伝送する段階をさらに含んでもよい。
【００１５】
前記方法は、前記選択された伝送資源、及び前記ＰＵＳＣＨのＭＣＳ（ｍｏｄｕｌａｔｉｏｎ  ｃｏｄｉｎｇ  ｓｃｈｅｍｅ）に基づいて、前記ＰＵＳＣＨの伝送ブロックサイズ（ｔｒａｎｓｐｏｒｔ  ｂｌｏｃｋ  ｓｉｚｅ）を決定する段階をさらに含んでもよい。
【００１６】
本発明の他の実施形態による方法は、基地局の無線通信システムにおけるグラントフリー（Ｇｒａｎｔ−ｆｒｅｅ）基盤データ通信方法において、グラントフリー伝送資源の設定情報を端末に送信する段階と、前記設定情報に基づいて決定されたグラントフリー伝送資源領域において、前記端末のＰＵＳＣＨ（ｐｈｙｓｉｃａｌ  ｕｐｌｉｎｋ  ｓｈａｒｅｄ  ｃｈａｎｎｅｌ）が伝送されたか否かを判断する段階と、前記判断の結果に基づいて、前記グラントフリー伝送資源領域の一部領域を介して、前記端末から上向きリンク制御情報を獲得する段階と、前記上向きリンク制御情報に基づいて、前記端末から前記ＰＵＳＣＨを獲得する段階と、を含むことを特徴とする。
【００１７】
前記グラントフリー伝送資源の前記設定情報は、前記グラントフリー伝送資源の時間資源領域及び周波数資源領域に係わる情報、並びに前記グラントフリー伝送資源に係わる周期情報を含み、前記グラントフリー伝送資源の前記時間資源領域及び前記周波数資源領域は、固定された資源領域と、柔軟な資源領域とを含みうる。
【００１８】
前記上向きリンク制御情報を獲得する段階は、前記固定された資源領域を介して、前記上向きリンク制御情報を獲得するものであり、前記上向きリンク制御情報に基づいて、前記端末から前記ＰＵＳＣＨを獲得する段階は、前記柔軟な資源領域を介して、前記上向きリンク制御情報を獲得するものであることが好ましい。
【００１９】
前記設定情報に基づいて決定された前記グラントフリー伝送資源領域において、前記端末の前記ＰＵＳＣＨが伝送されたか否かを判断する段階は、前記グラントフリー伝送資源の周波数資源領域に対応する資源領域において、ＤＭＲＳまたはプリアンブルが受信されたか否かに基づいて、前記端末から前記ＰＵＳＣＨが伝送されたか否かを判断するものであることが好ましい。
【００２０】
本発明の一実施形態による端末は、無線通信システムにおけるグラントフリー（Ｇｒａｎｔ−ｆｒｅｅ）基盤データ通信方法を利用する端末において、送受信部と、前記送受信部に結合されて、グラントフリー伝送資源の設定情報を受信し、前記設定情報に基づいて、ＰＵＳＣＨを送信するための伝送資源を選択し、前記選択された伝送資源のスケジューリング情報を含む上向きリンク制御情報を伝送し、前記選択された伝送資源を介して、前記ＰＵＳＣＨを伝送するように設定された、少なくとも１つのコントローラと、を含むことを特徴とする。
【００２１】
前記グラントフリー伝送資源の前記設定情報は、前記グラントフリー伝送資源の時間資源領域及び周波数資源領域に係わる情報、並びに前記グラントフリー伝送資源に係わる周期情報を含み、前記上向きリンク制御情報は、前記選択された伝送資源の時間資源割り当て情報及び周波数資源割り当て情報を含み、前記グラントフリー伝送資源の領域が複数の部分資源を含む場合、前記選択された伝送資源のインデックス情報をさらに含み、前記コントローラは、前記グラントフリー伝送資源の前記領域のうちの一部領域を介して、前記上向きリンク制御情報を伝送するものであることが好ましい。
【００２２】
前記グラントフリー伝送資源の前記時間資源領域及び前記周波数資源領域は、固定された資源領域と、柔軟な資源領域とを含み、前記グラントフリー伝送資源の前記領域のうちの前記一部領域は、前記固定された資源領域を含み、前記選択された伝送資源は、前記柔軟な資源領域を含みうる。
【００２３】
前記コントローラは、前記固定された資源領域を介して伝送されるＰＵＣＣＨ、または前記固定された資源領域を介して伝送されるＰＵＳＣＨを介して、前記上向きリンク制御情報を伝送しうる。
【００２４】
本発明の一実施形態によるシステムは、無線通信システムにおけるグラントフリー（Ｇｒａｎｔ−ｆｒｅｅ）基盤データ通信方法を利用する基地局において、前記基地局は、送受信部と、前記送受信部に結合されて、グラントフリー伝送資源の設定情報を端末に送信し、前記設定情報に基づいて決定されたグラントフリー伝送資源領域において、前記端末のＰＵＳＣＨが伝送されたか否かを判断し、前記判断の結果に基づいて、前記グラントフリー伝送資源領域の一部領域を介して、前記端末から上向きリンク制御情報を獲得し、前記上向きリンク制御情報に基づいて、前記端末から前記ＰＵＳＣＨを獲得するように設定された、少なくとも１つのコントローラと、を含むことを特徴とする。
【００２５】
以下、本発明の実施形態について、図面を参照しながら詳細に説明する。
【００２６】
本実施形態についての説明において、本発明が属する技術分野に周知されており、本発明と直接関連がない記載内容については、説明を省略する。これは、不要な説明を省略することにより、本発明の要旨を不明確にせず、より明確に伝達するためである。
【００２７】
同じ理由により、図面において、一部構成要素は、誇張されていたり、省略されていたり、あるいは概略的に示されている。また、各構成要素の大きさは、実際のサイズを全面的に反映するものではない。各図面において、同一であるか、あるいは対応する構成要素には、同一の参照番号を付した。
【００２８】
本発明の利点、特徴、及びそれらを達成するための方法は、図面と共に詳細に後述されている実施形態を参照すれば、明確になるであろう。しかし、本発明は、以下で開示される実施形態に限定されるものではなく、互いに異なる多様な形態でも具現されうる。ただし、本実施形態は、本発明の開示を完全なものにし、本発明が属する技術分野の当業者に、発明の範疇を完全に知らせるために提供されるものであり、本発明は、特許請求の範囲によって定義される。明細書全体にわたり、同一の参照符号は、同一の構成要素を指す。また、本発明の説明において、関連する機能あるいは構成に係わる具体的な説明が、本発明の要旨を必要以上に不明確にすると判断された場合、その詳細な説明は、省略する。そして、後述の用語は、本発明における機能を考慮して定義された用語であり、それらは、ユーザ、運用者の意図または慣例などによっても異なる。従って、その定義は、本明細書全般にわたる内容を基になされなければならない。
【００２９】
以下の説明において、基地局は、端末に資源（ｒｅｓｏｕｒｃｅ）の割り当てを行う主体であり、ｇＮｏｄｅ  Ｂ、ｅＮｏｄｅ  Ｂ、Ｎｏｄｅ  Ｂ、ＢＳ（ｂａｓｅ  ｓｔａｔｉｏｎ）、無線接続ユニット、基地局制御器、またはネットワーク上のノードのうちの少なくとも一つである。端末は、ＵＥ（ｕｓｅｒ  ｅｑｕｉｐｍｅｎｔ）、ＭＳ（ｍｏｂｉｌｅ  ｓｔａｔｉｏｎ）、セルラーフォン、スマートフォン、コンピュータ、または通信機能を有するマルチメディアシステムを含む。本明細書において、下向きリンク（ＤＬ：ｄｏｗｎｌｉｎｋ）は、基地局が端末に伝送する信号の無線伝送経路であり、上向きリンク（ＵＬ：ｕｐｌｉｎｋ）は、端末が基地局に伝送する信号の無線伝送経路を意味する。また、以下において、ＬＴＥ（登録商標）（ｌｏｎｇ  ｔｅｒｍ  ｅｖｏｌｕｔｉｏｎ）システムまたはＬＴＥ−Ａ（ＬＴＥ−ａｄｖａｎｃｅｄ）システムを一例として説明するが、類似した技術的背景またはチャネル形態を有するそれ以外の通信システムにも、本発明の実施形態が適用されうる。例えば、ＬＴＥ−Ａ以後に開発される第５世代移動通信技術（５Ｇ、ＮＲ（ｎｅｗ  ｒａｄｉｏ））がそれに含まれ、以下で説明する５Ｇは、既存のＬＴＥ（登録商標）、ＬＴＥ−Ａ、及び類似した他のサービスを含む概念である。また、本発明は、熟練した技術的知識を有する者の判断に基づいて、本発明の技術範囲を大きく逸脱しない範囲内で、一部変形を介して、他の通信システムにも適用される。
【００３０】
このとき、処理フローチャートの各ブロックと、フローチャートの組み合わせは、コンピュータプログラムインストラクションによって実行されることが理解される。これらコンピュータプログラムインストラクションは、汎用コンピュータ、特殊用コンピュータ、またはその他プログラム可能なデータプロセッシング装置のプロセッサに搭載されるので、コンピュータ、またはその他プログラム可能なデータプロセッシング装置のプロセッサを介して実行されるインストラクションは、フローチャートのブロックで説明された機能を実行する手段を生成することになる。これらコンピュータプログラムインストラクションは、特定方式で機能を具現するために、コンピュータ、またはその他プログラム可能なデータプロセッシング装置を志向するコンピュータ利用可能な、またはコンピュータ読み取り可能なメモリに保存可能であるので、そのコンピュータ利用可能な、またはコンピュータ読み取り可能なメモリに保存されたインストラクションは、フローチャートのブロックで説明した機能を実行するインストラクション手段を内包する製造品目を生産することが可能である。コンピュータプログラムインストラクションは、コンピュータ上、またはその他プログラム可能なデータプロセッシング装置上にロードされるので、コンピュータ上、またはその他プログラム可能なデータプロセッシング装置上で、一連の動作段階が実行され、コンピュータで実行されるプロセスを生成し、コンピュータ、またはその他プログラム可能なデータプロセッシング装置を実行するインストラクションは、フローチャートのブロックで説明された機能を実行するための段階を提供することが可能である。
【００３１】
また、各ブロックは、特定された論理的機能を実行するための１つ以上の実行可能なインストラクションを含むモジュール、セグメント、またはコードの一部を示す。また、いくつかの代替の実行例においては、ブロックで言及された機能が順序を外れて生じることも可能であるということに注目しなければならない。例えば、続けて図示されている２つのブロックは、実際には、実質的に同時に遂行されることが可能であり、あるいはそのブロックが時々該当する機能により、逆順に遂行されることも可能である。
【００３２】
ここで、本実施形態で使用される「〜部」という用語は、ソフトウェア、ＦＰＧＡ（ｆｉｅｌｄ  ｐｒｏｇｒａｍｍａｂｌｅ  ｇａｔｅ  ａｒｒａｙ）、またはＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）のようなハードウェア構成要素を意味し、「〜部」は、ある役割を果たす。しかしながら、「〜部」は、ソフトウェアまたはハードウェアに限定されるものではない。「〜部」は、アドレッシングすることができる記録媒体にあるように構成されるが、あるいはそれ以上のプロセッサを再生させるように構成される。従って、一例として、「〜部」は、ソフトウェア構成要素、オブジェクト指向ソフトウェア構成要素、クラス構成要素及びタスク構成要素のような構成要素、並びにプロセス、関数、属性、プロシージャ、サブルーチン、プログラムコードのセグメント、ドライバ、ファームウェア、マイクロコード、回路、データ、データベース、データ構造、テーブル、アレイ、及び変数を含む。構成要素及び「〜部」によって提供される機能は、より小数の構成要素及び「〜部」に結合されたり、さらなる構成要素及び「〜部」にさらに分離されうる。それだけではなく、構成要素及び「〜部」は、デバイス内またはセキュリティーマルチメディアカード内の１つまたはそれ以上のＣＰＵ（ｃｅｎｔｒａｌ  ｐｒｏｃｅｓｓｉｎｇ  ｕｎｉｔ）を再現するように具現される。また、一実施形態において「〜部」は、１つ以上のプロセッサを含んでもよい。
【００３３】
本発明は、無線通信システムにおける非直交多重接続（ＮＯＭＡ）支援のためのグラントフリー基盤データチャネル伝送方法及びその装置を提案する。非直交多重接続とは、同一の時間資源及び周波数資源で、多数の端末に通信サービスを提供する技術を意味する。例えば、同一の時間資源及び周波数資源において、多数の端末が上向きリンクデータチャネルを伝送する。グラントフリー基盤伝送の目的として、基地局は、端末に、特定の時間資源及び周波数資源を設定し、端末は、設定された資源に、上向きリンクデータを上向きリンクグラント（ｕｐｌｉｎｋ  ｇｒａｎｔ）なしに伝送する。
【００３４】
また、本発明においては、グラントフリー基盤伝送を目的として設定された資源領域の全体または一部を利用し、上向きリンクデータを伝送する方法を提案する。設定された伝送領域を多数のサブグループに分け、データチャネルが伝送される探索空間を定義する方法、設定された伝送領域のうちの一部領域に、データチャネル及び上向きリンク制御情報を伝送する方法、設定された伝送領域のうちの一部領域に、上向きリンク制御情報を伝送する方法を含む。
【００３５】
また、本発明においては、設定された資源の一部領域にグラントフリー基盤伝送が行われる場合、ＭＣＳ（Ｍｏｄｕｌａｔｉｏｎ  Ｃｏｄｉｎｇ  Ｓｃｈｅｍｅ）及びＴＢＳ（Ｔｒａｎｓｐｏｒｔ  Ｂｌｏｃｋ  Ｓｉｚｅ）を決定する方法を提案する。基地局が、１つのＭＣＳを上位階層シグナリングを介して設定し、端末の伝送領域に基づいてＴＢＳを決定する方法、基地局が多数個のＭＣＳを設定し、伝送領域とアソシエーションを行う方法、端末が基地局にＭＣＳを通知し、ＭＣＳに基づいて、ＴＢＳを決定する方法を含む。
【００３６】
無線通信システムは、初期の音声主体のサービスを提供したところから脱し、例えば、３ＧＰＰのＨＳＰＡ（ｈｉｇｈ  ｓｐｅｅｄ  ｐａｃｋｅｔ  ａｃｃｅｓｓ）、ＬＴＥ（登録商標）（またはＥ−ＵＴＲＡ（ｅｖｏｌｖｅｄ  ｕｎｉｖｅｒｓａｌ  ｔｅｒｒｅｓｔｒｉａｌ  ｒａｄｉｏ  ａｃｃｅｓｓ））、ＬＴＥ−Ａ、ＬＴＥ−Ｐｒｏ、３ＧＰＰ２のＨＲＰＤ（ｈｉｇｈ  ｒａｔｅ  ｐａｃｋｅｔ  ｄａｔａ）、ＵＭＢ（ｕｌｔｒａ  ｍｏｂｉｌｅ  ｂｒｏａｄｂａｎｄ）、及びＩＥＥＥの８０２．１６ｅのような通信標準のように、高速、高品質のパケットデータサービスを提供する広帯域無線通信システムに発展している。
【００３７】
広帯域無線通信システムの代表的な例として、ＬＴＥ（登録商標）システムでは、下向きリンク（ＤＬ）に、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式を採用しており、上向きリンク（ＵＬ）には、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）方式を採用している。上向きリンクは、端末（ＵＥまたはＭＳ）が基地局（ｅＮｏｄｅ  ＢまたはＢＳ）に、データあるいは制御信号を伝送する無線リンクを意味し、下向きリンクは、基地局が端末に、データあるいは制御信号を伝送する無線リンクを意味する。多重接続方式は、一般的に、各ユーザ別に、データあるいは制御情報を載せて送る時間・周波数資源が互いに重ならないように、すなわち、直交性（ｏｒｔｈｏｇｏｎａｌｉｔｙ）がなされるように、割り当てて運用することにより、各ユーザのデータあるいは制御情報を区分する。
【００３８】
ＬＴＥ（登録商標）以後のこれからの通信システムとして、すなわち、５Ｇ通信システムは、ユーザ及びサービス提供者の多様な要求事項を自由に反映させなければならないために、多様な要求事項を同時に満足させるサービスが支援されなければならない。５Ｇ通信システムのために考慮されるサービスとしては、向上されたモバイル広帯域通信（ｅＭＢＢ：ｅｎｈａｎｃｅｄ  ｍｏｂｉｌｅ  ｂｒｏａｄｂａｎｄ）、大規模機械型通信（ｍＭＴＣ：ｍａｓｓｉｖｅ  ｍａｃｈｉｎｅ  ｔｙｐｅ  ｃｏｍｍｕｎｉｃａｔｉｏｎ）、超信頼低遅延通信（ＵＲＬＬＣ：ｕｌｔｒａ  ｒｅｌｉａｂｉｌｉｔｙ  ｌｏｗ  ｌａｔｅｎｃｙ  ｃｏｍｍｕｎｉｃａｔｉｏｎ）などがある。
【００３９】
ｅＭＢＢは、既存のＬＴＥ（登録商標）、ＬＴＥ−Ａ、またはＬＴＥ−Ｐｒｏが支援するデータ伝送速度よりもさらに向上されたデータ伝送速度を提供することを目標とする。例えば、５Ｇ通信システムにおけるｅＭＢＢは、１つの基地局の観点において、下向きリンクでは、２０Ｇｂｐｓの最大伝送速度（ｐｅａｋ  ｄａｔａ  ｒａｔｅ）、上向きリンクでは、１０Ｇｂｐｓの最大伝送速度を提供しなければならない。また、５Ｇ通信システムは、最大伝送速度を提供すると共に、増大された端末の実際体感伝送速度（ｕｓｅｒ  ｐｅｒｃｅｉｖｅｄ  ｄａｔａ  ｒａｔｅ）を提供しなければならない。このような要求事項を満足させるために、さらに向上された多重アンテナ（ＭＩＭＯ）伝送技術を含み、多様な送受信技術の向上を要求する。また、ＬＴＥ（登録商標）が使用する２ＧＨｚ帯域において、最大２０ＭＨｚ伝送帯域幅を使用して信号を伝送する一方、５Ｇ通信システムは、３〜６ＧＨｚまたは６ＧＨｚ以上の周波数帯域において、２０ＭＨｚよりも広い周波数帯域幅を使用することにより、５Ｇ通信システムで要求されるデータ伝送速度を満足させる。
【００４０】
同時に、５Ｇ通信システムにおいて、物のインターネット（ＩｏＴ）のような応用サービスを支援するために、ｍＭＴＣが考慮されている。ｍＭＴＣは、効率的に物のインターネットを提供するために、セル内での大規模端末の接続支援、端末のカバレージ向上、向上されたバッテリ時間、端末のコスト低減などが要求される。物のインターネットは、多様な機器に付着されたさまざまなセンサを使用して通信機能を提供するので、セル内において、多数の端末（例えば、１，０００，０００端末／ｋｍ２）を支援しなければならない。また、ｍＭＴＣを支援する端末は、サービスの特性上、建物の地下のように、セルがカバーすることができない陰影地域（ｄｅａｄ  ｚｏｎｅ）に位置する可能性が高いので、５Ｇ通信システムで提供する他のサービスに比べて、より広いカバレージを要求することになる。ｍＭＴＣを支援する端末は、低価格の端末によって構成されなければならず、端末のバッテリを頻繁に交換し難いために、１０〜１５年のように、非常に長いバッテリ寿命（ｂａｔｔｅｒｙ  ｌｉｆｅ  ｔｉｍｅ）が要求される。
【００４１】
最後に、ＵＲＬＬＣサービスは、特定の目的（ｍｉｓｓｉｏｎ−ｃｒｉｔｉｃａｌ）で使用されるセルラ基盤無線通信サービスである。例えば、ロボットまたは機械装置（ｍａｃｈｉｎｅｒｙ）に対する遠隔制御（ｒｅｍｏｔｅ  ｃｏｎｔｒｏｌ）、産業自動化（ｉｎｄｕｓｔｒｉａｌ  ａｕｔｏｍａｔｉｏｎ）、無人飛行装置（ｕｎｍａｎｎｅｄ  ａｅｒｉａｌ  ｖｅｈｉｃｌｅ）、遠隔健康制御（ｒｅｍｏｔｅ  ｈｅａｌｔｈ  ｃａｒｅ）、緊急警報（ｅｍｅｒｇｅｎｃｙ  ａｌｅｒｔ）などに使用されるサービスなどが考えられる。従って、ＵＲＬＬＣが提供する通信は、非常に低い遅延、及び非常に高い信頼度を提供しなければならない。例えば、ＵＲＬＬＣを支援するサービスは、０．５ミリ秒よりも短い無線接続遅延時間（ａｉｒ  ｉｎｔｅｒｆａｃｅ  ｌａｔｅｎｃｙ）を満足しなければならず、同時に、１０−５以下のパケットエラー率（ｐａｃｋｅｔ  ｅｒｒｏｒ  ｒａｔｅ）の要求事項を有する。従って、ＵＲＬＬＣを支援するサービスのために、５Ｇシステムは、他のサービスよりも小さい伝送時間区間（ＴＴＩ：ｔｒａｎｓｍｉｔ  ｔｉｍｅ  ｉｎｔｅｒｖａｌ）を提供しなければならず、同時に、通信リンクの信頼性を確保するために、周波数帯域において、広いリソースを割り当てなければならない設計事項が要求される。
【００４２】
５Ｇの三種のサービス、すなわち、ｅＭＢＢ、ＵＲＬＬＣ、ｍＭＴＣは、１つのシステムに多重化されて伝送される。このとき、それぞれのサービスが有する異なる要求事項を満足させるために、サービス間において、互いに異なる送受信技法及び送受信パラメータを使用する。ここで、５Ｇは、上述の三種のサービスに限定されない。
【００４３】
以下では、５Ｇシステムのフレーム構造について、図面を参照しながら、さらに具体的に説明する。
【００４４】
図１は、本発明の一実施形態による、５Ｇシステムにおいて、データまたは制御チャネルが伝送される無線資源領域である、時間・周波数領域の基本構造を示す図である。
【００４５】
図１において、横軸は、時間領域を示し、縦軸は、周波数領域を示す。時間領域及び周波数領域において、資源の基本単位は、資源要素（ＲＥ：ｒｅｓｏｕｒｃｅ  ｅｌｅｍｅｎｔ）１０１であり、時間軸における１つのＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル１０２、及び周波数軸における１つの副搬送波（ｓｕｂｃａｒｒｉｅｒ）１０３によって定義される。周波数領域において、
2021533700.tif 000003
の連続したＲＥは、１つの資源ブロック（ＲＢ：ｒｅｓｏｕｒｃｅ  ｂｌｏｃｋ）１０４を構成する。
【００４６】
図２は、本発明の一実施形態による、５Ｇシステムで考慮するスロット構造を示す図である。
【００４７】
図２には、フレーム（ｆｒａｍｅ）２００、サブフレーム（ｓｕｂｆｒａｍｅ）２０１、スロット（ｓｌｏｔ）２０２の構造の一例を示している。１フレーム２００は、１０ｍｓと定義される。１サブフレーム２０１は、１ｍｓと定義され、従って、１フレーム２００は、総１０個のサブフレーム２０１によって構成される。１スロット（２０２、２０３）は、１４個のＯＦＤＭシンボルによって定義される
2021533700.tif 000004
１サブフレーム２０１は、１つまたは複数個のスロット（２０２、２０３）によって構成され、１サブフレーム２０１当たりスロット（２０２、２０３）の個数は、副搬送波間隔に係わる設定値μ（２０４、２０５）によって異なる。図２の一例においては、副搬送波間隔の設定値としてμ＝０（２０４）である場合と、μ＝１（２０５）である場合とが図示されている。μ＝０（２０４）である場合、１サブフレーム２０１は、１個のスロット２０２によって構成され、μ＝１（２０５）である場合、１サブフレーム２０１は、２個のスロット２０３によって構成される。すなわち、副搬送波間隔の設定値μにより、
2021533700.tif 000005
【００４８】
【表１】
2021533700.tif 000006
【００４９】
次に、５Ｇシステムにおける下向きリンク制御情報（ＤＣＩ：ｄｏｗｎｌｉｎｋ  ｃｏｎｔｒｏｌ  ｉｎｆｏｒｍａｔｉｏｎ）について具体的に説明する。
【００５０】
５Ｇシステムにおいて、上向きリンクデータ（または、物理上向きリンクデータチャネル（ＰＵＳＣＨ：ｐｈｙｓｉｃａｌ  ｕｐｌｉｎｋ  ｓｈａｒｅｄ  ｃｈａｎｎｅｌ））または下向きリンクデータ（または、物理下向きリンクデータチャネル（ＰＤＳＣＨ：ｐｈｙｓｉｃａｌ  ｄｏｗｎｌｉｎｋ  ｓｈａｒｅｄ  ｃｈａｎｎｅｌ））のスケジューリング情報は、ＤＣＩを介して基地局から端末に伝達される。端末は、ＰＵＳＣＨまたはＰＤＳＣＨに対して、フォールバック（ｆａｌｌｂａｃｋ）用ＤＣＩフォーマットと非フォールバック（ｎｏｎ−ｆａｌｌｂａｃｋ）用ＤＣＩフォーマットとをモニタリング（ｍｏｎｉｔｏｒｉｎｇ）する。フォールバック用ＤＣＩフォーマットは、基地局と端末との間で事前定義された固定されたフィールドによって構成され、非フォールバック用ＤＣＩフォーマットは、設定可能なフィールドを含む。
【００５１】
ＤＣＩは、チャネルコーディング過程及び変調過程を経て、物理下向きリンク制御チャネルであるＰＤＣＣＨ（ｐｈｙｓｉｃａｌ  ｄｏｗｎｌｉｎｋ  ｃｏｎｔｒｏｌ  ｃｈａｎｎｅｌ）を介して伝送される。ＤＣＩメッセージのペイロード（ｐａｙｌｏａｄ）には、ＣＲＣ（ｃｙｃｌｉｃ  ｒｅｄｕｎｄａｎｃｙ  ｃｈｅｃｋ）が付加され、ＣＲＣは、端末の身元（ｉｄｅｎｔｉｔｙ）に該当するＲＮＴＩ（ｒａｄｉｏ  ｎｅｔｗｏｒｋ  ｔｅｍｐｏｒａｒｙ  ｉｄｅｎｔｉｆｉｅｒ）によってスクランブリングされる。ＤＣＩメッセージの目的、例えば、端末特定（ＵＥ−ｓｐｅｃｉｆｉｃ）のデータ伝送、電力制御命令、またはランダムアクセス応答などにより、互いに異なるＲＮＴＩが使用される。すなわち、ＲＮＴＩは、明示的に伝送されず、ＣＲＣ計算過程に含まれて伝送される。ＰＤＣＣＨ上で伝送されるＤＣＩメッセージを受信すると、端末は、割り当てられたＲＮＴＩを使用してＣＲＣを確認し、ＣＲＣ確認結果が合えば、端末は、ＤＣＩメッセージが端末に伝送されたものであることを知ることができる。
【００５２】
例えば、システム情報（ＳＩ：ｓｙｓｔｅｍ  ｉｎｆｏｒｍａｔｉｏｎ）に係わるＰＤＳＣＨをスケジューリングするＤＣＩは、ＳＩ−ＲＮＴＩによってスクランブリングされる。ＲＡＲ（ｒａｎｄｏｍ  ａｃｃｅｓｓ  ｒｅｓｐｏｎｓｅ）メッセージに係わるＰＤＳＣＨをスケジューリングするＤＣＩは、ＲＡ−ＲＮＴＩによってスクランブリングされる。ページング（ｐａｇｉｎｇ）メッセージに係わるＰＤＳＣＨをスケジューリングするＤＣＩは、Ｐ−ＲＮＴＩによってスクランブリングされる。ＳＦＩ（ｓｌｏｔ  ｆｏｒｍａｔ  ｉｎｄｉｃａｔｏｒ）を通知するＤＣＩは、ＳＦＩ−ＲＮＴＩによってスクランブリングされる。ＴＰＣ（ｔｒａｎｓｍｉｔ  ｐｏｗｅｒ  ｃｏｎｔｒｏｌ）を通知するＤＣＩは、ＴＰＣ−ＲＮＴＩによってスクランブリングされる。端末特定のＰＤＳＣＨまたはＰＵＳＣＨをスケジューリングするＤＣＩは、Ｃ−ＲＮＴＩ（ｃｅｌｌ  ＲＮＴＩ）によってスクランブリングされる。
【００５３】
ＤＣＩフォーマット０＿０は、ＰＵＳＣＨをスケジューリングするフォールバック用ＤＣＩとしても使用され、このとき、ＣＲＣは、Ｃ−ＲＮＴＩによってスクランブリングされる。Ｃ−ＲＮＴＩでＣＲＣがスクランブリングされたＤＣＩフォーマット０＿０は、例えば、下記情報（表２）を含む。
【００５４】
【表２】
2021533700.tif 000007
【００５５】
ＤＣＩフォーマット０＿１は、ＰＵＳＣＨをスケジューリングする非フォールバック用ＤＣＩとして使用され、このとき、ＣＲＣは、Ｃ−ＲＮＴＩによってスクランブリングされる。Ｃ−ＲＮＴＩでＣＲＣがスクランブリングされたＤＣＩフォーマット０＿１は、例えば、下記情報（表３）を含む。
【００５６】
【表３】
2021533700.tif 000008
【００５７】
ＤＣＩフォーマット１＿０は、ＰＤＳＣＨをスケジューリングするフォールバック用ＤＣＩとして使用され、このとき、ＣＲＣは、Ｃ−ＲＮＴＩによってスクランブリングされる。Ｃ−ＲＮＴＩでＣＲＣがスクランブリングされたＤＣＩフォーマット１＿０は、例えば、下記情報（表４）を含む。
【００５８】
【表４】
2021533700.tif 000009
【００５９】
ＤＣＩフォーマット１＿１は、ＰＤＳＣＨをスケジューリングする非フォールバック用ＤＣＩとして使用され、このとき、ＣＲＣは、Ｃ−ＲＮＴＩによってスクランブリングされる。Ｃ−ＲＮＴＩでＣＲＣがスクランブリングされたＤＣＩフォーマット１＿１は、例えば、下記情報（表５）を含む。
【００６０】
【表５】
2021533700.tif 000010
【００６１】
次に、５Ｇにおいて、上向きリンクデータチャネル（ＰＵＳＣＨ）を伝送する方法について具体的に説明する。
【００６２】
端末が基地局にＰＵＳＣＨを伝送する方法は、大別すると、グラント基盤伝送方式と、グラントフリー（ｇｒａｎｔ  ｆｒｅｅ、ｃｏｎｆｉｇｕｒｅｄ  ｇｒａｎｔ、またはｃｏｎｆｉｇｕｒｅｄ  ｓｃｈｅｄｕｌｉｎｇとも命名される）基盤伝送方式とに区分される。
【００６３】
グラント基盤ＰＵＳＣＨ伝送方式においては、基地局に伝送するトラフィック（ｔｒａｆｆｉｃ）が発生した場合、端末は、基地局に、スケジューリング要請（Ｓｃｈｅｄｕｌｉｎｇ  ｒｅｑｕｅｓｔ）メッセージを、上向きリンク制御チャネル（ＰＵＣＣＨ）を介して伝送し、スケジューリング要請メッセージを受信した基地局は、当該端末にスケジューリンググラントに該当する上向きリンクスケジューリングＤＣＩを伝送する。端末は、ＰＤＣＣＨに対するモニタリングを介して、上向きリンクスケジューリングＤＣＩを受信し、ＤＣＩを用いて通知された制御情報に基づき、基地局にＰＵＳＣＨを伝送する。グラントフリー基盤ＰＵＳＣＨ伝送方式においては、まず、基地局が端末に、準静的（ｓｅｍｉ−ｓｔａｔｉｃ）な時間／周波数資源を、上位階層シグナリング（例えば、ＲＲＣ（ｒａｄｉｏ  ｒｅｓｏｕｒｃｅ  ｃｏｎｔｒｏｌ）シグナリング）を介して設定し、端末は、基地局に伝送するトラフィックが発生した場合、設定された時間／周波数資源において、基地局のグラント（許可）なしに、即座にＰＵＳＣＨを伝送する。グラントフリー基盤伝送方式については、さらに具体的に後述する。
【００６４】
次に、５Ｇにおいて、上向きリンクデータチャネル（ＰＵＳＣＨ）伝送のための送信構造について説明する。
【００６５】
図３は、５Ｇにおける上向きリンクデータチャネル伝送のための送信機の構造を示す図である。すなわち、図３は、送信機のプロセスに基づいた機能的構造を示す。図３に示すように、ＰＵＳＣＨのための送信機は、ＦＥＣ（ｆｏｒｗａｒｄ  ｅｒｒｏｒ  ｃｏｒｒｅｃｔｉｏｎ）３０１、ビットレベルスクランブラ（ｂｉｔ  ｌｅｖｅｌ  ｓｃｒａｍｂｌｅｒ）３０２、変調器（ｍｏｄｕｌａｔｏｒ）３０３、及びシンボル・ツー・ＲＥマッパ（ｓｙｍｂｏｌ  ｔｏ  ＲＥ  ｍａｐｐｅｒ）３０４によって構成される。ＦＥＣ３０１は、入力されたビットシーケンス（ｂｉｔ  ｓｅｑｕｅｎｃｅ）３００に対するチャネルコーディングを行う役割を遂行する。また、入力されたビットシーケンスを反復（ｒｅｐｅｔｉｔｉｏｎ）させる。ここで、送信機の構造は、図３に示す構造に限定されるものではなく、そのような動作は、他の構造によっても遂行されうる。
【００６６】
ビットレベルスクランブラ３０２は、ＦＥＣ３０１を経て出力された合計Ｍｂｉｔビットの
2021533700.tif 000011
に係わるスクランブリング動作を遂行する役割を果たす。例えば、下記手順（表６）による。
【００６７】
【表６】
2021533700.tif 000012
【００６８】
ビットレベルスクランブラ３０２を経たビットシーケンス
2021533700.tif 000013
は、変調器３０３を経て、Ｍｓｙｍｂ個の変調されたシンボルシーケンス
2021533700.tif 000014
を出力する。５Ｇは、下記の変調次数（ｍｏｄｕｌａｔｉｏｎ  ｏｒｄｅｒ）による変調スキーム（ｓｃｈｅｍｅ）（表７）を支援する。
【００６９】
【表７】
2021533700.tif 000015
【００７０】
一実施形態によれば、変調器３０３を経た変調シンボルシーケンス
2021533700.tif 000016
は、シンボル・ツー・ＲＥマッパ３０４を経て、時間資源及び周波数資源にマッピングされて伝送される。
【００７１】
【表８】
2021533700.tif 000017
【００７２】
次に、５Ｇにおいて、ＮＯＭＡに基づいたＰＵＳＣＨ伝送のための伝送構造について説明する。
【００７３】
図４に示すように、ＮＯＭＡのための送信機で遂行される動作は、ビットレベル動作（ｂｉｔ−ｌｅｖｅｌ  ｏｐｅｒａｔｉｏｎ）４０１とシンボルレベル動作（ｓｙｍｂｏｌ−ｌｅｖｅｌ  ｏｐｅｒａｔｉｏｎ）４０２とによって構成される。すなわち、図４は、送信機のプロセスに基づいた機能的構造を示す。
【００７４】
ビットレベル動作４０１を遂行する装置は、ＦＥＣ４０３とビットレベルインターリーバ／スクランブラ（ｂｉｔ−ｌｅｖｅｌ  ｉｎｔｅｒｌｅａｖｅｒ／ｓｃｒａｍｂｌｅｒ）４０４とを含む。ＦＥＣ４０３は、入力されたビットシーケンス（ｂｉｔ  ｓｅｑｕｅｎｃｅ）４００に対するチャネルコーディングを行う役割を果たす。また、入力されたビットシーケンスを反復させる。ビットレベルインターリーバ／スクランブラ４０４は、ＦＥＣ４０３を経て出力されたビットに係わるインターリビング及びスクランブリング動作を遂行する役割を果たす。ビットレベルインターリーバ／スクランブラ４０４で使用されるインターリーバ／スクランブラは、セル特定的であるか、あるいは端末特定的であり、セル特定的であるか、あるいは端末特定的なインターリーバ／スクランブラは、同じ時間資源及び周波数資源を利用して信号を伝送する他の端末に及ぼす干渉をランダム化させる。
【００７５】
シンボルレベル動作４０２を遂行する装置は、変調されたシンボルシーケンス生成器（ｍｏｄｕｌａｔｅｄ  ｓｙｍｂｏｌ  ｓｅｑｕｅｎｃｅ  ｇｅｎｅｒａｔｏｒ）４０５とシンボル・ツー・ＲＥマッパ４０６を含む。変調されたシンボルシーケンス生成器４０５及びシンボル・ツー・ＲＥマッパ４０６は、単一トーン（ｔｏｎｅ）変調または多重トーン変調、（反復を介した）端末特定的なシンボルスプレッディング（ｓｐｒｅａｄｉｎｇ）、セルまたは／及び端末特定的なシンボルレベルインターリーバ／スクランブラ、希薄な（ｓｐａｒｓｅ）、希薄でない（ｎｏｎ−ｓｐａｒｓｅ）資源マッピング、送信電力調節の機能などを含む。
【００７６】
一実施形態によれば、ＮＯＭＡのための送信機の構造は、図４に示す構造に限定されるものではなく、そのような動作は、他の構造によっても遂行される。
【００７７】
ＮＯＭＡで動作する端末は、図４の送信構造によって、伝送する上向きリンクデータを変調し、ＰＵＳＣＨを介して基地局に伝送する。このとき、ＮＯＭＡを遂行する多数の端末は、同一の時間資源及び周波数資源において、それ自体のＰＵＳＣＨを同時に伝送する。従って、多数の端末のＰＵＳＣＨは、互いに干渉を及ぼしうる。ＮＯＭＡを遂行する多数の端末のＰＵＳＣＨを受信した基地局は、伝送構造を考慮した受信機を利用して、各端末の上向きリンクデータを復旧する。
【００７８】
次に、５Ｇで検討されている上向きリンク非直交多重接続（ＮＯＭＡ）のための受信機の構造について具体的に説明する。
【００７９】
図５は、５Ｇで論議しているＮＯＭＡのための受信機の構造を示す図である。すなわち、図５は、受信機のプロセスに基づいた機能的構造を示す。
【００８０】
図５に示すように、ＮＯＭＡのための受信機は、検出器（ｄｅｔｅｃｔｏｒ）５０１、デコーダ（ｄｅｃｏｄｅｒ）５０２、干渉除去器（ｉｎｔｅｒｆｅｒｅｎｃｅ  ｃａｎｃｅｌｌｅｒ）５０３によって構成される。一実施形態によれば、ＮＯＭＡのための受信機の構造は、図５に示す構造に限定されるものではなく、そのような動作は、他の構造によっても遂行される。
【００８１】
受信機で受信された信号５００は、検出器５０１を経て、チャネルによる信号歪曲が補償される。検出器５０１を経た出力信号は、デコーダ５０２に入力され、チャネルコーディングに係わる復号過程を経る。デコーダ５０２を経た出力信号は、干渉除去器５０３を経て、さらなる干渉除去動作が遂行される。干渉除去動作は、例えば、ＮＯＭＡにおけるユーザ間の信号干渉を除去する目的の多様な信号処理技法が含まれてもよい。干渉除去器５０３を経た出力値は、さらにデコーダ５０１にも入力され、上述の手順が反復遂行される。反復遂行後、ＮＯＭＡ受信機の最終出力値は、ビットシーケンス５０４に該当する。
【００８２】
次に、５Ｇのグラントフリー基盤伝送方式について説明する。
【００８３】
図６は、５Ｇのグラントフリー基盤伝送方式の一例を示す図である。
【００８４】
５Ｇでは、上向きリンクデータチャネル（ＰＵＳＣＨ）に係わるグラントフリー（ｃｏｎｆｉｇｕｒｅｄ  ｇｒａｎｔなどと命名される）基盤伝送方法について、二種のタイプ（グラントフリー基盤ＰＵＳＣＨ伝送タイプ−１（ｔｙｐｅ−１  ＰＵＳＣＨ  ｔｒａｎｓｍｉｓｓｉｏｎ  ｗｉｔｈ  ａ  ｃｏｎｆｉｇｕｒｅｄ  ｇｒａｎｔ）と、グラントフリー基盤ＰＵＳＣＨ伝送タイプ−２（ｔｙｐｅ−２  ＰＵＳＣＨ  ｔｒａｎｓｍｉｓｓｉｏｎ  ｗｉｔｈ  ａ  ｃｏｎｆｉｇｕｒｅｄ  ｇｒａｎｔ）を支援する。
【００８５】
［グラントフリー基盤ＰＵＳＣＨ伝送タイプ−１］
グラントフリー基盤ＰＵＳＣＨ伝送タイプ−１においては、基地局が端末に、グラントフリー基盤ＰＵＳＣＨ伝送を許容する特定の時間／周波数資源６００を、上位階層シグナリング、例えば、ＲＲＣシグナリングを介して設定する。例えば、図６に示すように、資源６００に係わる時間割り当て情報６０１、周波数割り当て情報６０２、周期情報６０３などを設定する。また、基地局は、端末に、ＰＵＳＣＨ伝送のための多様なパラメータ（例えば、周波数ホッピング、ＤＭＲＳ設定、ＭＣＳテーブル、ＭＣＳ、ＲＢＧ（ｒｅｓｏｕｒｃｅ  ｂｌｏｃｋ  ｇｒｏｕｐ）サイズ、反復伝送回数、ＲＶ（ｒｅｄｕｎｄａｎｃｙ  ｖｅｒｓｉｏｎ）など）を上位階層シグナリングを介して設定する。さらに具体的には、下記表９の設定情報が含まれる。
【００８６】
【表９】
2021533700.tif 000018
【００８７】
基地局から、グラントフリー基盤ＰＵＳＣＨ伝送タイプ−１のための設定情報を受信した場合、端末は、周期的に設定された資源６００で、基地局のグラントなしに、ＰＵＳＣＨを伝送する。ＰＵＳＣＨを伝送するために必要な多様なパラメータ（例えば、周波数ホッピング、ＤＭＲＳ設定、ＭＣＳ、ＲＢＧサイズ、反復伝送回数、ＲＶ、プレコーディング及びレイヤ数、アンテナポート、周波数ホッピングオフセットなど）は、いずれも基地局の通知した設定値に従う。
【００８８】
［グラントフリー基盤ＰＵＳＣＨ伝送タイプ−２］
グラントフリー基盤ＰＵＳＣＨ伝送タイプ−２においては、基地局が端末に、グラントフリー基盤ＰＵＳＣＨ伝送を許容する特定の時間／周波数資源６００に係わる情報のうちの一部（例えば、周期情報６０３）を上位階層シグナリング（例えば、ＲＲＣシグナリング）を介して設定する。また、基地局は、端末に、ＰＵＳＣＨ伝送のための多様なパラメータ（例えば、周波数ホッピング、ＤＭＲＳ設定、ＭＣＳテーブル、ＲＢＧサイズ、反復伝送回数、ＲＶなど）を、上位階層シグナリングを介して設定する。さらに具体的には、基地局は、端末に、下記表１０の設定情報を、上位階層シグナリングを介して設定する。
【００８９】
【表１０】
2021533700.tif 000019
【００９０】
基地局は、端末に、ＣＳ−ＲＮＴＩ（ｃｏｎｆｉｇｕｒｅｄ  ｓｃｈｅｄｕｌｉｎｇ−ＲＮＴＩ）を設定し、端末は、ＣＳ−ＲＮＴＩによってスクランブリングされたＤＣＩフォーマットをモニタリングする。ＣＳ−ＲＮＴＩによってスクランブリングされたＤＣＩは、グラントフリー基盤ＰＵＳＣＨ伝送タイプ−２を活性化させる目的（すなわち、端末に、グラントフリー基盤ＰＵＳＣＨを許容する目的）に使用される。例えば、端末が受信したＣＳ−ＲＮＴＩによってスクランブリングされているＤＣＩフォーマットのＤＣＩフィールドが、下記表１１を満足する場合、それは、グラントフリー基盤ＰＵＳＣＨ伝送に係わるトリガ（ｔｒｉｇｇｅｒ）と判断される。
【００９１】
【表１１】
2021533700.tif 000020
【００９２】
基地局は、端末に、特定フィールドの値を利用して、グラントフリー基盤ＰＵＳＣＨ伝送に係わるトリガを指示すると共に、グラントフリー基盤ＰＵＳＣＨ伝送を行う資源領域６００に係わる具体的な時間割り当て情報６０１及び周波数割り当て情報６０２を、当該ＤＣＩの資源割り当てフィールドにおいて、端末に通知する。端末は、上位階層に設定された周期情報６０３と、トリガに対応するＣＳ−ＲＮＴＩによってスクランブリングされたＤＣＩから獲得した時間割り当て情報６０１及び周波数割り当て情報６０２とから、グラントフリー基盤ＰＵＳＣＨ伝送のための資源領域６００を判断し、当該資源領域６００において、グラントフリー基盤ＰＵＳＣＨ伝送を行う。すなわち、トリガに対応するＤＣＩを受信した時点以後から、端末は、周期的に設定された資源６００において、基地局のグラントなしに、ＰＵＳＣＨを伝送する。端末は、ＰＵＳＣＨを伝送するために必要な多様なパラメータのうちの一部（例えば、ＤＭＲＳ設定情報、ＭＣＳテーブル、ＲＢＧサイズ、反復伝送回数、ＲＶ、電力調節パラメータのような表７のパラメータ）は、いずれも基地局が上位階層シグナリングを介して設定した値に従い、それ以外のパラメータ（例えば、ＭＣＳ、プレコーディング及びレイヤ数、アンテナポート、周波数ホッピングオフセットのようなＤＣＩフォーマット０＿０／０＿１のフィールドに該当するパラメータ）は、受信したトリガ用ＣＳ−ＲＮＴＩによってスクランブリングされたＤＣＩから通知された設定値に従う。
【００９３】
基地局は、端末に、グラントフリー基盤ＰＵＳＣＨ伝送をリリース（ｒｅｌｅａｓｅ）する目的（すなわち、端末に対し、グラントフリー基盤ＰＵＳＣＨ伝送許容を中断する目的）で、ＣＳ−ＲＮＴＩによってスクランブリングされたＤＣＩを伝送し、このとき、端末が受信したＣＳ−ＲＮＴＩによってスクランブリングされたＤＣＩフォーマットのフィールドが下記の表１２を満足する場合、端末は、それを、グラントフリー基盤ＰＵＳＣＨ伝送に係わるリリースと判断する。
【００９４】
【表１２】
2021533700.tif 000021
【００９５】
以下、本発明の実施形態について、図面と共に詳細に説明する。以下においては、５Ｇ無線通信システムを一例として、本発明の実施形態について説明するが、類似した技術的背景またはチャネル形態を有するそれ以外の通信システムにも、本発明の実施形態が適用されうる。５Ｇ通信システムだけではなく、ＬＴＥ（登録商標）及びＬＴＥ−Ａ、あるいは５Ｇ以後の通信システムがそこに含まれうる。従って、本発明の実施形態は、当業者の判断により、本発明の技術範囲を逸脱しない範囲内において、一部変形を介し、他の通信システムにも適用される。
【００９６】
また、本発明についての説明において、関連する機能あるいは構成に係わる具体的な説明が、本発明の要旨を必要以上に不明確にすると判断された場合、その詳細な説明は、省略する。また、後述する用語は、本発明における機能を考慮して定義された用語であり、それらは、ユーザ、運用者の意図または慣例などによって異なる。従って、その定義は、本明細書全般にわたる内容を基になされなければならない。
【００９７】
＜第１実施例＞
基地局は、端末に、グラントフリー基盤ＰＵＳＣＨ伝送を目的に、特定の時間資源領域及び周波数資源領域を設定する。このとき、当該資源領域において、非直交多重接続を許容する場合、設定された資源領域は、１つまたは複数の端末によって共有される。このとき、１つのグラントフリー伝送目的の資源領域を共有する端末がグラントフリー基盤のＰＵＳＣＨを伝送するとき、常時設定された資源領域全体を利用して伝送する場合、端末間の干渉が大きく増大してしまう。従って、本発明の第１実施例においては、端末が、設定された資源領域の一部を利用し、グラントフリー基盤ＰＵＳＣＨを伝送する方法を提案することにより、１つの資源を複数の端末が共有して使用する環境において、端末間の信号干渉を減らし、基地局におけるＰＵＳＣＨに対する復号能を向上させることが期待される。
【００９８】
本発明の第１実施例において、端末は、設定された資源領域の全体を使用せず、一部だけを使用してＰＵＳＣＨ伝送が可能であると判断した場合（例えば、伝送するデータ量が十分に少ない場合、端末の伝送電力が十分ではない場合、または基地局が一部の資源を利用してＰＵＳＣＨを伝送することを通知した場合）、端末は、一部の資源のみを利用して、グラントフリー基盤にＰＵＳＣＨを伝送する。
【００９９】
以下、図面を参照しながら、さらに具体的に説明する。
【０１００】
図７は、本発明の第１実施例を示す図である。
【０１０１】
図７に示すように、基地局は、端末に、グラントフリー基盤ＰＵＳＣＨ伝送を目的に、特定の時間資源及び周波数資源７００と、伝送資源に係わる周期情報７０３とを上位階層シグナリング、例えば、ＲＲＣシグナリング（グラントフリー基盤ＰＵＳＣＨ伝送タイプ−１の場合）を介して、またはＬ１シグナリング、例えば、ＤＣＩシグナリング（グラントフリー基盤ＰＵＳＣＨ伝送タイプ−２の場合）を介して設定する。
【０１０２】
本発明の第１実施例において、端末は、グラントフリー基盤ＰＵＳＣＨ伝送を目的に設定された資源７００の全体または一部の資源領域を利用してグラントフリーＰＵＳＣＨを伝送する。例えば、図７は、端末が、スロット０（７０５）においては、設定された資源７００の資源領域（７１１、７１２）を利用して、スロット２（７０７）においては、設定された資源７００の資源領域（７１３）を利用して、スロット４（７０９）においては、設定された資源７００全体を利用して、ＰＵＳＣＨを伝送した例を示す。すなわち、実際に、ＰＵＳＣＨ伝送に使用された資源（７０４）は、設定された資源７００の全体または一部を含む。
【０１０３】
以下では、基地局と端末とが、設定された資源７００内の全体または一部の資源領域を利用して、グラントフリー基盤ＰＵＳＣＨに係わる送受信を行う動作について、具体的な実施形態を記載する。
【０１０４】
下記の説明において、基地局が端末に、グラントフリー基盤ＰＵＳＣＨ伝送を目的に設定された資源７００を「グラントフリー伝送資源」と命名する。
【０１０５】
＜第１−１実施例＞
本発明の第１−１実施例は、グラントフリー基盤ＰＵＳＣＨ伝送を目的に設定された資源領域のうちの一部を利用して伝送する方法であって、ＰＵＳＣＨが伝送可能な資源候補群によって構成された探索空間を定義して探索空間を構成するＰＵＳＣＨ候補群のうちの一つを選択して伝送する方法を提案する。
【０１０６】
基地局は、端末に、グラントフリー基盤ＰＵＳＣＨ伝送を目的に、グラントフリー伝送資源、及び当該グラントフリー伝送資源に係わる周期情報を、上位階層シグナリング、例えば、ＲＲＣシグナリング（グラントフリー基盤ＰＵＳＣＨ伝送タイプ−１の場合）を介して、またはＬ１シグナリング、例えば、ＤＣＩシグナリング（グラントフリー基盤ＰＵＳＣＨ伝送タイプ−２の場合）を介して設定する。
【０１０７】
本発明の第１−１実施例において、グラントフリー伝送資源は、１つまたは複数個の部分資源によって構成され、それを「サブグループ資源（ＳＧＲ：ｓｕｂ−ｇｒｏｕｐ  ｒｅｓｏｕｒｃｅ）」と命名する。サブグループ資源の大きさ（時間資源及び周波数資源の大きさ）は、事前定義される。一例として、サブグループ資源の大きさは、時間軸上では、グラントフリー伝送資源として設定されたシンボル数と同一であり、周波数軸上では、１ＲＢまたは１ＲＢＧに対応する。または、サブグループ資源の大きさは、基地局が端末に、上位階層シグナリング（例えば、ＲＲＣシグナリング）を介して設定する。または、サブグループ資源の大きさは、グラントフリー伝送資源の大きさと、当該グラントフリー伝送資源内の総サブグループ資源の個数との関数として暗黙的に決定される。一例として、周波数軸に、総Ｘ個のＲＢによって構成されたグラントフリー伝送資源のサブグループ個数がＹ個である場合、１つのサブグループ資源は、ｃｅｉｌ（Ｘ／Ｙ）（または、ｆｌｏｏｒ（Ｘ／Ｙ））個のＲＢによって構成される。このとき、サブグループ資源の個数Ｙは、基地局が端末に、上位階層シグナリング（例えば、ＲＲＣシグナリング）を介して設定するか、あるいは事前定義される。
【０１０８】
サブグループ資源は、グラントフリー基盤ＰＵＳＣＨ伝送を行うことができる最小資源単位と定義される。１つのグラントフリー伝送資源は、例えば、Ｎ（≧１）個のサブグループ資源によって構成され、端末は、ＰＵＳＣＨを、グラントフリー伝送資源内の特定のＬ（１≦Ｌ≦Ｎ）個のサブグループ資源を利用して伝送する。このとき、特定端末が設定されたグラントフリー伝送資源内において、ＰＵＳＣＨを伝送することができるサブグループ資源の候補群を「ＰＵＳＣＨ候補群」と命名する。ＰＵＳＣＨ候補群は、グラントフリー伝送資源内において、Ｌ（１≦Ｌ≦Ｎ）個のサブグループ資源によって構成され、特定のＬ個のサブグループ資源によって構成されたＰＵＳＣＨ候補群は、１つまたは複数個が存在する。結果として、グラントフリー伝送資源内におけるＰＵＳＣＨ候補群は、複数個が存在する。グラントフリー伝送資源内の可能なＰＵＳＣＨ候補群の集合を「探索空間」と命名する。
【０１０９】
端末は、探索空間内のＰＵＳＣＨ候補群のうちの一つを選択し、グラントフリー基盤ＰＵＳＣＨ伝送を行う。基地局は、探索空間として定義されたＰＵＳＣＨ候補群をモニタリングすることにより、どのＰＵＳＣＨ候補群（すなわち、どのサブグループ資源）を使用して、ＰＵＳＣＨが伝送されたか否かを判断し、ＰＵＳＣＨを受信する。
【０１１０】
探索空間は、端末特定的（端末グループ特定的）に決定される。グラントフリー伝送資源が設定された互いに異なる端末は、互いに異なるＰＵＳＣＨ候補群によって構成された互いに異なる探索空間を有する。例えば、下記パラメータのうちの少なくとも１つ以上のパラメータに基づいて、探索空間が定義される。
【０１１１】
−グラントフリー伝送資源内の総サブグループ資源の個数
−１つのＰＵＳＣＨ候補群を構成するサブグループ資源の個数（Ｌ）
−ＰＵＳＣＨ候補群の数
−端末特定的な識別子
−時間インデックス（シンボルインデックス、スロットインデックス）
【０１１２】
また、一実施形態によれば、端末特定的な識別子は、例えば、下記パラメータのうちの少なくとも一つに対応する。
−端末ＩＤ（識別子（ｉｄｅｎｔｉｔｙ））
−ＤＭＲＳスクランブリングＩＤ
−ＭＡシグネチャ（ｓｉｇｎａｔｕｒｅ）ＩＤ
−基地局が追加して設定したＩＤ
【０１１３】
一実施形態によれば、探索空間に係わるパラメータは、事前定義されるか、あるいは基地局が端末に、上位階層シグナリング（例えば、ＲＲＣ）またはＬ１シグナリング（例えば、ＤＣＩ）を介して設定する。
【０１１４】
図８を参照しながら、より具体的に説明する。
【０１１５】
図８は、本発明の第１−１実施例で提案する探索空間の一例を示す図である。
【０１１６】
図８には、グラントフリー伝送資源８００が、総４個のサブグループ資源（ＳＧＲ＃１（８０１）、ＳＧＲ＃２（８０２）、ＳＧＲ＃３（８０３）、ＳＧＲ＃４（８０４））によって構成された例を示している。また、総４個のＰＵＳＣＨ候補群（候補群＃１（８０５）、候補群＃２（８０６）、候補群＃３（８０７）、候補群＃４（８０８））によって構成された探索空間が一例として図示されている。１つのＰＵＳＣＨ候補群は、Ｌ（１≦Ｌ≦Ｎ）個のサブグループ資源によって構成される。図８の例で、候補群＃１（８０５）は、４個のサブグループ資源（ＳＧＲ＃１（８０１）、ＳＧＲ＃２（８０２）、ＳＧＲ＃３（８０３）、ＳＧＲ＃４（８０４））によって構成されており、候補群＃２（８０６）は、２個のサブグループ資源（ＳＧＲ＃１（８０１）、ＳＧＲ＃２（８０２））によって構成されており、候補群＃３（８０７）は、２個のサブグループ資源（ＳＧＲ＃３（８０３）、ＳＧＲ＃４（８０４））によって構成されており、候補群＃４（８０８）は、１個のサブグループ資源（ＳＧＲ＃２（８０２））によって構成されている。
【０１１７】
端末は、探索空間として定義された候補群＃１（８０５）、候補群＃２（８０６）、候補群＃３（８０７）、候補群＃４（８０８）のうちの１つの候補群を選択し、グラントフリー基盤ＰＵＳＣＨ伝送を行う。例えば、端末が候補群＃１（８０５）を選択して伝送する場合、端末は、サブグループ資源ＳＧＲ＃１（８０１）、ＳＧＲ＃２（８０２）、ＳＧＲ＃３（８０３）、ＳＧＲ＃４（８０４）（すなわち、設定されたグラントフリー伝送資源８００全体）を利用して、ＰＵＳＣＨを伝送し、端末が候補群＃２（８０６）を選択して伝送する場合、端末は、サブグループ資源ＳＧＲ＃１（８０１）、ＳＧＲ＃２（８０２）（すなわち、設定されたグラントフリー伝送資源８００の一部）を利用して、ＰＵＳＣＨを伝送する。
【０１１８】
基地局は、当該端末の探索空間として定義された伝送資源領域、すなわち、候補群＃１（８０５）、候補群＃２（８０６）、候補群＃３（８０７）、候補群＃４（８０８）をモニタリングし、どの候補群を利用してＰＵＳＣＨが伝送されたかを判断する。基地局は、多様な方法を利用して、特定の候補群に、ＰＵＳＣＨが伝送されたか否かを判断する。例えば、下記の方法が適用される。
【０１１９】
［方法１］ＰＵＳＣＨに対するブラインド（ｂｌｉｎｄ）デコーディング
−一実施形態によれば、基地局は、各ＰＵＳＣＨ候補群において、当該端末のＰＵＳＣＨが伝送されたと仮定して、ＰＵＳＣＨに対するブラインドデコーディングを行い、デコーディングに成功したＰＵＳＣＨ候補群においてＰＵＳＣＨが伝送されたと判断する。
【０１２０】
［方法２］ＤＭＲＳが伝送されたか否かによってＰＵＳＣＨが伝送されたか否かを判断
−一実施形態によれば、基地局は、各ＰＵＳＣＨ候補群に該当する資源において、特定端末のＤＭＲＳが伝送されたか否かを判断し、もしＤＭＲＳが伝送されたと判断されると、当該ＰＵＳＣＨ候補群においてＰＵＳＣＨが伝送されたと判断し、ＰＵＳＣＨデコーディングを行う。
【０１２１】
［方法３］プリアンブルが伝送されたか否かによってＰＵＳＣＨが伝送されたか否かを判断
−一実施形態によれば、端末は、特定のＰＵＳＣＨ候補群を利用してＰＵＳＣＨを伝送するとき、伝送するＰＵＳＣＨ候補群に該当する資源領域内に既定義または既設定の資源を使用してプリアンブルを伝送し、基地局は、プリアンブルを受信した資源領域から、ＰＵＳＣＨが伝送されたか否かを判断し、ＰＵＳＣＨが伝送されたと判断した場合、ＰＵＳＣＨデコーディングを行う。
【０１２２】
図９は、本発明の第１−１実施例による基地局及び端末の手順を示す図である。
【０１２３】
まず、基地局の手順について説明すると、基地局は、段階（９０１）で、端末にグラントフリーＰＵＳＣＨ伝送を目的に、グラントフリー伝送資源を、上位階層シグナリングまたはＬ１シグナリングを介して設定する。基地局は、段階（９０２）で、設定されたグラントフリー伝送資源内の当該端末の探索空間を判断する。基地局は、段階（９０３）で、設定したグラントフリー伝送資源内の当該端末の探索空間において、ＰＵＳＣＨが伝送されたか否かを判断する。基地局は、段階（９０４）で、ＰＵＳＣＨに対するデコーディング及び受信を行う。
【０１２４】
次に、端末の手順について説明すると、端末は、段階（９０５）で、グラントフリー伝送資源の設定情報を受信する。端末は、段階（９０６）で、それ自体の端末特定の探索空間を判断する。端末は、段階（９０７）で、探索空間内の特定のＰＵＳＣＨ候補群に該当する伝送資源を使用して、ＰＵＳＣＨに対してグラントフリー基盤伝送を行う。
【０１２５】
本発明の第１−１実施例によると、端末は、設定された全体グラントフリー伝送資源内において、探索空間として定義された全体または一部の資源を介して、ＰＵＳＣＨを伝送する。基地局は、既定義の探索空間内においてのみ、端末のＰＵＳＣＨ伝送に対するブラインドモニタリングを行い、それにより、ＰＵＳＣＨが伝送されたか否かを判断するのに要求される複雑度を最小化させる。
【０１２６】
＜第１−２実施例＞
本発明の第１−２実施例は、グラントフリー基盤ＰＵＳＣＨ伝送を目的に設定された資源領域のうちの一部を利用して伝送する方法であって、端末がＰＵＳＣＨを伝送する資源を選択し、選択された資源に係わるスケジューリング情報を基地局に報告する方法を提案する。
【０１２７】
基地局は、端末に、グラントフリー基盤ＰＵＳＣＨ伝送を目的に、グラントフリー伝送資源、及びグラントフリー伝送資源に係わる周期情報を、上位階層シグナリング、例えば、ＲＲＣシグナリング（グラントフリー基盤ＰＵＳＣＨ伝送タイプ−１の場合）を介して、またはＬ１シグナリング、例えば、ＤＣＩシグナリング（グラントフリー基盤ＰＵＳＣＨ伝送タイプ−２の場合）を介して設定する。
【０１２８】
本発明の第１−２実施例において、グラントフリー伝送資源は、「第１資源領域」と「第２資源領域」とに区分される。「第１資源領域」は、端末のグラントフリー基盤ＰＵＳＣＨ伝送時、必ず使用される資源領域に該当し、「第２資源領域」は、端末のグラントフリー基盤ＰＵＳＣＨ伝送時、端末が選択的に活用できる資源領域に該当する。さらに具体的に説明すると、グラントフリー基盤ＰＵＳＣＨ伝送を行う端末は、設定されたグラントフリー伝送資源内において、「第１資源領域」に該当する資源については、資源全体にＰＵＳＣＨをマッピングして伝送し、「第２資源領域」に該当する資源については、全体または一部の資源にＰＵＳＣＨをマッピングして伝送する。
【０１２９】
「第１資源領域」と「第２資源領域」とを決定する方法として、下記の方法が考慮される。
【０１３０】
［方法１］
一実施形態によれば、基地局が端末に、「第１資源領域」と「第２資源領域」とを上位階層シグナリング（ＲＲＣシグナリング）またはＬ１シグナリング（ＤＣＩシグナリング）を介して明示的に設定する。
【０１３１】
［方法２］
一実施形態によれば、基地局は、端末に、グラントフリー伝送資源を設定し、設定された全体グラントフリー伝送資源の量（Ｘ）が、特定の臨界値（Ｙ）以上である場合、臨界値以下に該当する資源領域（Ｙ）が「第１資源領域」と見なされ、臨界値以上に該当する資源領域（Ｘ−Ｙ）が「第２資源領域」と見なされる。臨界値Ｙは、事前定義されている固定された値であり、基地局が端末に設定する。例えば、基地局が端末に、周波数軸に総Ｘ  ＲＢに該当するグラントフリー伝送資源を設定し、臨界値がＹ  ＲＢである場合、グラントフリー伝送資源として設定された最も低い（または、最も高い）ＲＢインデックスＡから、Ｙ  ＲＢに該当するＲＢインデックスＢまでの資源領域は、「第１資源領域」と見なされ、（Ｂ＋１）番目のＲＢから、（Ｘ−Ｙ）ＲＢに該当する資源領域は、「第２資源領域」と見なされる。周波数軸資源について例を挙げたが、時間資源及び周波数資源についても、同一方法が拡張されて適用される。
【０１３２】
端末は、「第１資源領域」において、「第２資源領域」において伝送されるＰＵＳＣＨのスケジューリング情報（すなわち、時間及び周波数割り当て情報）に係わる上向きリンク制御情報（ＵＣＩ：ｕｐｌｉｎｋ  ｃｏｎｔｒｏｌ  ｉｎｆｏｒｍａｔｉｏｎ）を、伝送する。「第１資源領域」においてＵＣＩを伝送する方法として、下記の方法が考慮される。
【０１３３】
［方法１］
−一実施形態によれば、ＵＣＩが、第１資源領域に既設定のＰＵＣＣＨ資源を使用して伝送される。ＵＣＩのＭＣＳは、設定されているＰＵＣＣＨのフォーマットによって決定される。
【０１３４】
［方法２］
−一実施形態によれば、ＵＣＩが、第１資源領域に伝送されるＰＵＳＣＨに多重化（ｍｕｌｔｉｐｌｅｘｉｎｇ）されて伝送される。このとき、ＰＵＳＣＨ内において、ＵＣＩが多重化される資源位置は、事前定義されている。ＵＣＩのＭＣＳは、ＰＵＳＣＨのＭＣＳによって決定される。
【０１３５】
［方法３］
−一実施形態によれば、ＵＣＩが、第１資源領域において伝送されるＰＵＳＣＨに多重化されて伝送される。このとき、ＰＵＳＣＨ内において、ＵＣＩが多重化される資源位置とＭＣＳは、事前に定義されるか、あるいは事前に設定される。
【０１３６】
端末が「第２資源領域」において伝送するＵＣＩには、下記情報のうちの少なくとも１以上の情報が含まれる。但し、下記の例に限定されるものではない。
【０１３７】
−「第２資源領域」において伝送されるＰＵＳＣＨに係わる時間資源割り当て情報
−「第２資源領域」において伝送されるＰＵＳＣＨに係わる周波数資源割り当て情報
−「第２資源領域」がＮ（≧１）個の部分資源（例えば、サブグループ資源）によって構成されている場合、ＰＵＳＣＨの伝送に使用される部分資源のインデックス情報
【０１３８】
基地局は、設定されたグラントフリー伝送資源内の「第１資源領域」において、特定端末のＰＵＳＣＨが伝送されたか否かをモニタリングする。端末のＰＵＳＣＨが伝送されたか否かをブラインドモニタリングする方法として、下記の方法が考慮される。
【０１３９】
［方法１］ＰＵＳＣＨ及びＵＣＩに対するブラインドデコーディング
−一実施形態によれば、基地局は、「第１資源領域」において、ＰＵＳＣＨ及びＵＣＩが伝送されたと仮定し、ＰＵＳＣＨに対するブラインドデコーディングを行い、デコーディングに成功したならば、ＰＵＳＣＨが伝送されたと判断する。
【０１４０】
［方法２］「第１資源領域」においてＤＭＲＳが伝送されたか否かにより、ＰＵＳＣＨ及びＵＣＩが伝送されたか否かを判断
−一実施形態によれば、基地局は、第１資源領域において、特定端末のＤＭＲＳが伝送されたか否かを判断し、もしＤＭＲＳが伝送されたと判断されると、当該端末のＰＵＳＣＨが伝送されたと判断し、ＰＵＳＣＨに対するデコーディングを行う。
【０１４１】
［方法３］「第１資源領域」においてプリアンブルが伝送されたか否かにより、ＰＵＳＣＨ及びＵＣＩが伝送されたか否かを判断
−一実施形態によれば、端末は、ＰＵＳＣＨを伝送するとき、第１資源領域内において、既定義または既設定の資源を使用してプリアンブルを伝送し、基地局が特定端末のプリアンブルを第１資源領域で受信すると、当該端末のＰＵＳＣＨが伝送されたと判断され、続けて、ＰＵＳＣＨに対するデコーディングを行う。
【０１４２】
基地局が上記のような方法で、「第１資源領域」において、特定端末のＰＵＳＣＨが伝送されたと判断された場合、基地局は、まず、「第１資源領域」に伝送されたＵＣＩを復号して獲得する。基地局は、受信したＵＣＩから、「第２資源領域」に伝送されたＰＵＳＣＨに係わるスケジューリング情報を獲得する。基地局は、「第１資源領域」及び「第２資源領域」のうちのＰＵＳＣＨ伝送に実際に使用された資源情報に基づいて、全体ＰＵＳＣＨに対するデコーディング及び受信を行う。
【０１４３】
図１０を参照して、さらに具体的に説明する。
【０１４４】
図１０は、本発明の第１−２実施例で提案するグラントフリー基盤ＰＵＳＣＨ伝送の一例を示す図である。
【０１４５】
図１０には、グラントフリー伝送資源１０００が示されており、グラントフリー伝送資源１０００の全体は、「第１資源領域」（固定された（ｆｉｘｅｄ）資源）１００１と「第２資源領域」（柔軟な（ｆｌｅｘｉｂｌｅ）資源）１００２とに区分されている。図１０に示すように、端末は、ＰＵＳＣＨ（１００４）を「第１資源領域」１００１に該当する資源全体と、「第２資源領域」１００２に該当する資源の全体または一部とを利用して伝送する。すなわち、「第２資源領域」１００２においては、ＰＵＳＣＨ（１００４）を伝送するために、全体「第２資源領域」のうちの一部の資源（１００７）が使用される。端末は、基地局に、「第２資源領域」におけるＰＵＳＣＨに係わるスケジューリング情報１００３（すなわち、資源割り当て情報）に該当するＵＣＩ（１００５）を「第１資源領域」において伝送する。基地局は、「第１資源領域」において伝送されたＵＣＩ（１００５）から、「第２資源領域」において伝送されるＰＵＳＣＨ（１００４）のスケジューリング情報１００３を獲得する。基地局は、獲得したスケジューリング情報１００３に基づき、「第１資源領域」及び「第２資源領域」に伝送されたＰＵＳＣＨに対するデコーディングを行う。
【０１４６】
図１１は、本発明の第１−２実施例による基地局及び端末の手順を示す図である。
【０１４７】
まず、基地局の手順について説明すると、基地局は、段階（１１０１）で、端末に、グラントフリーＰＵＳＣＨ伝送を目的に、グラントフリー伝送資源を上位階層シグナリングまたはＬ１シグナリングを介して設定する。基地局は、段階（１１０２）で、設定したグラントフリー伝送資源内の「第１資源領域」において、特定端末のＰＵＳＣＨが伝送されたか否かを判断する。もし段階（１１０２）で、「第１資源領域」において、特定端末のＰＵＳＣＨが伝送されたと判断された場合、基地局は、段階（１１０３）で、「第１資源領域」において伝送されたＵＣＩを獲得する。基地局は、ＵＣＩから、「第２資源領域」において伝送されたＰＵＳＣＨに係わる資源割り当て情報を獲得する。基地局は、段階（１１０４）で、「第１資源領域」、及び「第２資源領域」の全体または一部に伝送されたＰＵＳＣＨに対するデコーディング及び受信を行う。
【０１４８】
次に、端末の手順について説明すると、端末は、段階（１１０６）で、基地局からグラントフリー伝送資源の設定情報を受信する。端末は、段階（１１０７）で、設定されたグラントフリー伝送資源において、ＰＵＳＣＨを伝送する資源領域を決定する。端末は、段階（１１０８）で、「第２資源領域」におけるＰＵＳＣＨの資源割り当て情報に係わるＵＣＩを生成する。端末は、段階（１１０９）で、ＰＵＳＣＨがマッピングされる資源領域が「第１資源領域」に該当するか、あるいは「第２資源領域」に該当するかを判断する。「第１資源領域」に該当する資源において、端末は、ＵＣＩ及びＰＵＳＣＨをいずれもマッピングして伝送し（段階１１１０）、「第２資源領域」に該当する資源において、端末は、ＰＵＳＣＨをマッピングして伝送する（段階１１１１）。
【０１４９】
本発明の第１−２実施例によれば、端末は、設定されたグラントフリー伝送資源の全体において、「第２資源領域」に設定された資源領域のうちの全体または一部の資源を介してＰＵＳＣＨを伝送する。基地局は、「第１資源領域」においてのみ、ＰＵＳＣＨ伝送に対するブラインドモニタリングを行うために、ＰＵＳＣＨが伝送されるか否かを判断するのに要求される複雑度を最小化させる。また、「第２資源領域」において伝送されるＰＵＳＣＨについては、「第１資源領域」において伝送されたＵＣＩから、スケジューリング情報を獲得し、「第２資源領域」におけるさらなるＰＵＳＣＨに対するブラインドモニタリングなしに、ＰＵＳＣＨをデコーディングする。
【０１５０】
＜第１−２−１実施例＞
本発明の第１−２実施例で、端末は、「第１資源領域」においてＵＣＩを伝送し、「第２資源領域」においてＰＵＳＣＨを伝送する。端末は、「第１資源領域」において伝送するＵＣＩとして、「第２資源領域」に伝送されるＰＵＳＣＨに係わるスケジューリング情報（例えば、時間資源割り当て情報及び周波数資源割り当て情報）を伝送する。一実施形態によれば、端末は、「第１資源領域」において伝送するＵＣＩを、「第１資源領域」で事前設定された資源領域、またはＰＵＣＣＨを介して伝送する。基地局は、「第１資源領域」において、端末のＵＣＩが伝送されるか否かを判断し、特定端末のＵＣＩが伝送されたと判断されると、特定端末のＵＣＩから、「第２資源領域」において伝送されるＰＵＳＣＨに係わるスケジューリング情報を獲得する。
【０１５１】
＜第１−３実施例＞
本発明の第１−３実施例は、グラントフリー基盤ＰＵＳＣＨ伝送を目的に設定された資源領域のうちの一部を利用して伝送する方法であって、端末がＰＵＳＣＨを伝送する資源を選択し、選択された資源に係わるスケジューリング情報を基地局に報告する方法を提案する。
【０１５２】
基地局は、端末に、グラントフリー基盤ＰＵＳＣＨ伝送を目的に、グラントフリー伝送資源、及び当該グラントフリー伝送資源に係わる周期情報を、上位階層シグナリング、例えば、ＲＲＣシグナリング（グラントフリー基盤ＰＵＳＣＨ伝送タイプ−１の場合）を介して、またはＬ１シグナリング、例えば、ＤＣＩシグナリング（グラントフリー基盤ＰＵＳＣＨ伝送タイプ−２の場合）を介して設定する。
【０１５３】
本発明の第１−３実施例において、端末は、設定されたグラントフリー伝送資源の全体または一部を介して、ＰＵＳＣＨを基地局に伝送する。端末は、ＰＵＳＣＨのスケジューリング情報（すなわち、時間及び周波数割り当て情報）に係わる上向きリンク制御情報（ＵＣＩ）を、グラントフリー伝送資源の領域のうちの一部を介して基地局に伝送する。グラントフリー伝送資源の領域の一部を介してＵＣＩを伝送する方法として、下記方法が考慮される。
【０１５４】
［方法１］
−一実施形態によれば、ＵＣＩが、グラントフリー伝送資源の領域に既設定のＰＵＣＣＨ資源を介して伝送される。ＵＣＩのＭＣＳは、設定されているＰＵＣＣＨのフォーマットによって決定される。
【０１５５】
［方法２］
−一実施形態によれば、ＵＣＩが、グラントフリー伝送資源の領域において伝送されるＰＵＳＣＨに多重化されて伝送される。このとき、ＰＵＳＣＨ内において、ＵＣＩが多重化される資源位置は、事前に定義される。ＵＣＩのＭＣＳは、ＰＵＳＣＨのＭＣＳによって決定される。
【０１５６】
端末が伝送するＵＣＩには、下記の情報のうちの少なくとも１つ以上の情報が含まれる。但し、下記の例に限定されるものではない。
【０１５７】
−グラントフリー伝送資源の領域で伝送されるＰＵＳＣＨに係わる時間資源割り当て情報
−グラントフリー伝送資源の領域で伝送されるＰＵＳＣＨに係わる周波数資源割り当て情報
−グラントフリー伝送資源の領域がＮ（≧１）個の部分資源（例えば、サブグループ資源）によって構成されている場合、ＰＵＳＣＨが伝送される部分資源のインデックス情報
【０１５８】
基地局は、設定されたグラントフリー伝送資源内の特定端末のＰＵＳＣＨが伝送されたか否かをモニタリングする。端末のＰＵＳＣＨが伝送されたか否かをブラインドモニタリングする方法として、下記の方法が考慮される。
【０１５９】
［方法１］グラントフリー伝送資源の領域内のＰＵＳＣＨ及びＵＣＩに対するブラインドデコーディング
−一実施形態によれば、基地局は、グラントフリー伝送資源の領域内において、ＰＵＳＣＨ及びＵＣＩが伝送されたと仮定し、ＰＵＳＣＨに対するブラインドデコーディングを行い、デコーディングに成功すると、ＰＵＳＣＨが伝送されたと判断する。
【０１６０】
［方法２］グラントフリー伝送資源の領域内のＤＭＲＳが伝送されたか否かにより、ＰＵＳＣＨ及びＵＣＩが伝送されたか否かを判断
−一実施形態によれば、基地局は、グラントフリー伝送資源の領域内において、特定端末のＤＭＲＳが伝送されたか否かを判断し、もしＤＭＲＳが伝送されたと判断されると、当該端末のＰＵＳＣＨが伝送されたと判断し、ＰＵＳＣＨに対するデコーディングを行う。
【０１６１】
［方法３］グラントフリー伝送資源の領域内のプリアンブルが伝送されたか否かにより、ＰＵＳＣＨ及びＵＣＩが伝送されたか否かを判断
−一実施形態によれば、端末は、ＰＵＳＣＨを伝送するとき、グラントフリー伝送資源の領域内に既定義または既設定の資源を使用してプリアンブルを伝送し、基地局が特定端末のプリアンブルを受信すると、当該端末のＰＵＳＣＨが伝送されたと判断し、続けて、ＵＣＩ及びＰＵＳＣＨに対するデコーディングを行う。
【０１６２】
基地局が上記のような方法でもって、グラントフリー伝送資源の領域において、特定端末のＰＵＳＣＨが伝送されたと判断された場合、基地局は、まず、グラントフリー伝送資源の領域内の事前に知られた資源を使用して伝送されたＵＣＩを復号して獲得する。基地局は、受信したＵＣＩから、グラントフリー伝送資源の領域において伝送されたＰＵＳＣＨに係わるスケジューリング情報を獲得する。基地局は、ＰＵＳＣＨ伝送に実際に使用された資源情報に基づき、全体ＰＵＳＣＨに対するデコーディング及び受信を行う。
【０１６３】
本発明の第１−３実施例によれば、端末は、設定されたグラントフリー伝送資源の全体において、全体または一部の資源を介して、ＰＵＳＣＨを伝送する。基地局は、グラントフリー伝送資源内において、ＰＵＳＣＨ伝送に対するブラインドモニタリングを多様な方法で遂行し、ＰＵＳＣＨが伝送されたと判断された場合、事前に約束された資源において伝送されたＵＣＩを獲得し、ＰＵＳＣＨに係わるスケジューリング情報を獲得する。基地局は、獲得したＰＵＳＣＨのスケジューリング情報に基づき、グラントフリー伝送資源内において伝送されたＰＵＳＣＨに対するデコーディングを行う。
【０１６４】
＜第１−４実施例＞
本発明の第１−４実施例は、端末のＰＵＳＣＨに係わるＤＭＲＳ伝送方法を提案する。
【０１６５】
基地局は、端末に、グラントフリー基盤ＰＵＳＣＨ伝送を目的に、グラントフリー伝送資源、及び当該グラントフリー伝送資源に係わる周期情報を、上位階層シグナリング、例えば、ＲＲＣシグナリング（グラントフリー基盤ＰＵＳＣＨ伝送タイプ−１の場合）を介して、またはＬ１シグナリング、例えば、ＤＣＩシグナリング（グラントフリー基盤ＰＵＳＣＨ伝送タイプ−２の場合）を介して設定する。
【０１６６】
本発明の第１−４実施例において、端末は、設定されたグラントフリー伝送資源の全体または一部を介して、ＰＵＳＣＨ、及び当該ＰＵＳＣＨをデコーディングするためのＤＭＲＳを伝送する。もし基地局が、特定端末のＰＵＳＣＨが伝送されたか否かを、ＤＭＲＳが伝送されたことに基づいて判断する場合、下記のＤＭＲＳ伝送方法が考慮される。
【０１６７】
［方法１］
一実施形態によれば、端末は、ＰＵＳＣＨをデコーディングするためのＤＭＲＳを、グラントフリー伝送資源として設定された全体周波数軸資源のうち、ＰＵＳＣＨを伝送するために実際に使用される資源内のシンボルにＤＭＲＳをマッピングすることによって、伝送する。基地局は、端末がＤＭＲＳを伝送するか否かに基づいて、ＰＵＳＣＨが伝送されるか否かを判断する。すなわち、特定端末のＤＭＲＳが伝送されたと判断されると、基地局は、当該端末のＰＵＳＣＨが伝送されたと判断する。方法１を介して基地局は、ＤＭＲＳが伝送されるか否かを判断し、それにより、ＰＵＳＣＨに係わるスケジューリング情報（周波数軸割り当て情報）を暗黙的に獲得する。すなわち、基地局は、ＤＭＲＳが伝送された周波数資源で、ＰＵＳＣＨが伝送されたと判断する。
【０１６８】
［方法２］
一実施形態によれば、端末は、ＰＵＳＣＨをデコーディングするためのＤＭＲＳを、グラントフリー伝送資源として設定された全体周波数軸資源内のシンボルにＤＭＲＳをマッピングすることによって、伝送する。すなわち、端末は、グラントフリー伝送資源内において、ＰＵＳＣＨが実際マッピングされて伝送されるために使用される資源領域と関係なく、常時グラントフリー伝送資源内の全体周波数軸資源において、ＤＭＲＳを伝送する。基地局は、特定端末のＰＵＳＣＨが伝送されるか否かを判断するために、グラントフリー伝送資源内の全体周波数軸資源における当該端末のＤＭＲＳが伝送されるか否かを常にモニタリングする。方法２によれば、基地局のＤＭＲＳに係わるブラインドモニタリング手順を簡素化することができる。すなわち、基地局は、ＰＵＳＣＨが、実際に全体グラントフリー伝送資源の領域内において、どの資源にマッピングされて伝送されたかに関係なく、常時全体周波数軸資源において、ＤＭＲＳに対するモニタリングを行う。
【０１６９】
［方法３］
端末は、ＰＵＳＣＨをデコーディングするためのＤＭＲＳを、グラントフリー伝送資源として設定された周波数軸資源、及びそれ以外の事前に約束された周波数資源（「第３資源領域」と命名する）において、ＰＵＳＣＨが実際に使用される資源内のシンボルにＤＭＲＳをマッピングすることによって、伝送する。すなわち、端末は、グラントフリー伝送資源内において、ＰＵＳＣＨが実際マッピングされて伝送される資源領域と関係なく、常に「第３資源領域」においてＤＭＲＳを伝送する。基地局は、特定端末のＰＵＳＣＨが伝送されるか否かを判断するために、常時グラントフリー伝送資源内の「第３資源領域」において、当該端末のＤＭＲＳが伝送されるか否かをモニタリングする。方法３によれば、基地局のＤＭＲＳに係わるブラインドモニタリング手順を簡素化することができる。すなわち、基地局は、ＰＵＳＣＨが、実際に全体グラントフリー伝送資源の領域内において、どの資源にマッピングされて伝送されたかに関係なく、常に「第３資源領域」において、ＤＭＲＳに対するモニタリングを行う。
【０１７０】
＜第１−４−１実施例＞
本発明の第１−４実施例は、端末のプリアンブル伝送方法にも、同一に適用されうる。すなわち、第１−４−１実施形態は、本発明の第１−４実施例において、ＤＭＲＳがいずれもプリアンブルに置き換えられた動作に該当する。また、本発明の多様な実施形態は、互いに組み合わせされて運用される。
【０１７１】
＜第１−５実施例＞
基地局は、端末に、グラントフリー基盤ＰＵＳＣＨ伝送を目的に、グラントフリー伝送資源、及び当該グラントフリー伝送資源に係わる周期情報を、上位階層シグナリング、例えば、ＲＲＣシグナリング（グラントフリー基盤ＰＵＳＣＨ伝送タイプ−１の場合）を介して、またはＬ１シグナリング、例えば、ＤＣＩシグナリング（グラントフリー基盤ＰＵＳＣＨ伝送タイプ−２の場合）を介して設定する。
【０１７２】
端末は、グラントフリー伝送資源の全体または一部を利用し、物理階層チャネル（例えば、ＰＵＳＣＨまたはＰＵＣＣＨ）を利用し、基地局に、下記表１３のパラメータのうちの少なくとも一つを含むＵＣＩを伝送する。
【０１７３】
【表１３】
2021533700.tif 000022
【０１７４】
本発明の第１−５実施例によれば、グラントフリー基盤伝送において、ＰＵＳＣＨに係わるスケジューリング情報のうちの一部は、端末が決定して、基地局に伝送する。これは、本発明の第１−２実施例と結合されて適用される。
【０１７５】
＜第２実施例＞
５Ｇにおいては、下記の数式１により、上向きリンクデータチャネル（ＰＵＳＣＨ）に係わる伝送ブロックサイズ（ＴＢＳ：ｔｒａｎｓｐｏｒｔ  ｂｌｏｃｋ  ｓｉｚｅ）、Ｎｉｎｆｏが決定される。
【０１７６】
［数式１］
2021533700.tif 000023
【０１７７】
数式１によれば、ＰＵＳＣＨのＴＢＳは、ＰＵＳＣＨが割り当てられた資源の量、及びＭＣＳ（ｍｏｄｕｌａｔｉｏｎ  ａｎｄ  ｃｏｄｉｎｇ  ｓｃｈｅｍｅ）（すなわち、変調次数及びコードレートに該当する）によって決定される。
【０１７８】
グラントフリー基盤ＰＵＳＣＨ伝送のために、基地局は、端末に、グラントフリー伝送資源を設定し、端末は、設定された資源領域において、全体または一部を利用して、基地局に、グラントフリー基盤にＰＵＳＣＨを伝送する。このとき、端末が、ＰＵＳＣＨ伝送に使用する資源の量と、ＭＣＳとによって、伝送されるＰＵＳＣＨのＴＢＳサイズが異なる。従って、グラントフリー基盤ＰＵＳＣＨ伝送時、基地局と端末との間で約束されたＰＵＳＣＨのＭＣＳ及びＴＢＳを決定する方法が必要である。
【０１７９】
本発明の第２実施例においては、グラントフリー基盤ＰＵＳＣＨ伝送時、ＭＣＳ及びＴＢＳを決定する方法を提案する。例えば、下記の方法が適用される。
【０１８０】
［方法１］
一実施形態によれば、基地局は、端末に、上位階層シグナリング、例えば、ＲＲＣシグナリング（グラントフリー基盤ＰＵＳＣＨ伝送タイプ−１の場合）を介して、またはＬ１シグナリング、例えば、ＤＣＩシグナリング（グラントフリー基盤ＰＵＳＣＨ伝送タイプ−２の場合）を介してＭＣＳを設定する。端末は、グラントフリー伝送資源内において、ＰＵＳＣＨを伝送するための資源、及び資源の量を決定する。端末は、基地局によって設定されたＭＣＳを利用してＰＵＳＣＨを伝送する。従って、端末が伝送するＰＵＳＣＨのＴＢＳは、基地局によって設定されたＭＣＳと、端末が決定したＰＵＳＣＨ伝送資源の量とに基づいて決定される。基地局は、グラントフリー伝送資源において、ＰＵＳＣＨが伝送された資源を判断する（第１実施例を参照）。基地局は、当該端末に設定したＭＣＳと、端末のＰＵＳＣＨ伝送に使用された資源の量とを考慮して、当該ＰＵＳＣＨのＴＢＳを決定する。
【０１８１】
［方法２］
一実施形態によれば、端末は、グラントフリー伝送資源内において、ＰＵＳＣＨを伝送するための資源、資源の量、及びＰＵＳＣＨのＭＣＳを決定する。端末は、決定されたＰＵＳＣＨが割り当てられた資源の量と、ＭＣＳとに基づき、ＰＵＳＣＨのＴＢＳを決定する（数式１を参照）。端末は、決定されたＰＵＳＣＨのＭＣＳをグラントフリー伝送資源において、ＵＣＩの形態で基地局に通知する。基地局は、グラントフリー伝送資源において、ＰＵＳＣＨが伝送された資源を判断する（第１実施例を参照）。また、基地局は、グラントフリー伝送資源において、端末から伝送されたＵＣＩを獲得する。（第１−２実施例を参照）。基地局は、ＵＣＩから、端末から伝送されたＰＵＳＣＨに係わるＭＣＳ情報を獲得する。基地局は、ＰＵＳＣＨスケジューリングされた伝送資源と、ＭＣＳとから伝送されたＰＵＳＣＨのＴＢＳを決定する（数式１を参照）。
【０１８２】
［方法３］
一実施形態によれば、基地局は、グラントフリー伝送資源内の設定された各サブグループ資源別、あるいは１つまたは多数個のサブグループ資源グループ別に（例えば、第１実施例のＰＵＳＣＨ候補群に該当する）、ＭＣＳを設定する。端末は、グラントフリー伝送資源内において、ＰＵＳＣＨを伝送するための１つまたは多数個のサブグループ資源を決定し、伝送するサブグループ資源に事前設定されていたＭＣＳ値に基づいて、ＰＵＳＣＨのＭＣＳを決定する。端末は、決定されたＰＵＳＣＨが割り当てられた資源の量と、ＭＣＳとに基づいて、ＰＵＳＣＨのＴＢＳを決定する（数式１を参照）。基地局は、グラントフリー伝送資源のうち、ＰＵＳＣＨを伝送した資源、すなわち、ＰＵＳＣＨ伝送に使用されたサブグループ資源を判断する（本発明の第１実施例を参照）。基地局は、ＰＵＳＣＨを伝送した資源からＭＣＳ情報を知り、基地局は、ＰＵＳＣＨスケジューリングされた伝送資源と、ＭＣＳとから伝送されたＰＵＳＣＨのＴＢＳを決定する（数式１を参照）。
【０１８３】
従って、上述の本発明のデータチャネル伝送方法を介して、非直交多重接続が効果的に支援される。
【０１８４】
本発明の上記実施形態を遂行するために、端末と基地局との送受信部、プロセッサ、メモリが、それぞれ図１２及び図１３に示されている。上述の多様な実施形態に該当する５Ｇ通信システムにおいて、非直交多重接続（ＮＯＭＡ）を支援するためのグラントフリー基盤の上向きリンクデータチャネル伝送方法及び下向きリンク制御情報伝送方法を遂行するために、基地局と端末との送受信部、プロセッサ、メモリがそれぞれ実施形態によって動作する。
【０１８５】
具体的には、図１２は、本発明の一実施形態による端末の内部構造を示すブロック図である。図１２に示すように、本発明の端末は、プロセッサ１２０１、送受信部１２０２、メモリ１２０３を含む。ただし、端末の構成要素は、上述の例に限定されるものではない。例えば、端末は、上述の構成要素よりもさらに多くの構成要素を含むか、あるいはより少ない構成要素を含んでもよい。それだけではなく、プロセッサ１２０１、送受信部１２０２、及びメモリ１２０３が１つのチップ（ｃｈｉｐ）形態で具現される。
【０１８６】
一実施形態によれば、プロセッサ１２０１は、上述の本発明の実施形態によって端末を動作させる一連の過程を制御する。例えば、本発明の実施形態による非直交多重接続のためのグラントフリー基盤伝送方法、すなわち、グラントフリー伝送資源の一部において、上向きリンクデータを伝送する方法、上向きリンク制御情報伝送方法、ＤＭＲＳ伝送方法などを遂行するように、端末の構成要素を制御する。プロセッサ１２０１は、複数のプロセッサを含み、メモリ１２０３に保存されたプログラムを実行することにより、本発明のグラントフリー基盤データ送受信方法を遂行する。
【０１８７】
送受信部１２０２は、基地局と信号を送受信する。基地局と送受信する信号は、制御情報と、データとを含む。そのために、送受信部１２０２は、送信される信号の周波数を上昇変換（ｕｐ−ｃｏｎｖｅｒｔｉｎｇ）及び増幅するＲＦ送信機と、受信される信号を低ノイズ増幅し、周波数を下降変換（ｄｏｗｎ−ｃｏｎｖｅｒｔｉｎｇ）するＲＦ受信機とによって構成される。ただし、これは、送受信部１２０２の一実施形態であって、送受信部１２０２の構成要素は、ＲＦ送信機及びＲＦ受信機に限定されるものではない。また、送受信部１２０２は、無線チャネルを介して信号を受信して、プロセッサ１２０１に出力し、プロセッサ１２０１から出力された信号を無線チャネルを介して伝送する。
【０１８８】
一実施形態によれば、メモリ１２０３は、端末の動作に必要なプログラム及びデータを保存する。また、メモリ１２０３は、端末が送受信する信号に含まれた制御情報またはデータを保存する。メモリ１２０３は、ＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）、ハードディスク、ＣＤ−ＲＯＭ（ｃｏｍｐａｃｔ  ｄｉｓｃ  ｒｅａｄ  ｏｎｌｙ  ｍｅｍｏｒｙ）、及びＤＶＤ（ｄｉｇｉｔａｌ  ｖｅｒｓａｔｉｌｅ  ｄｉｓｃ）のような記録媒体、または記録媒体の組み合わせによって構成される。また、メモリ１２０３は、複数のメモリを含む。一実施形態によれば、メモリ１２０３は、グラントフリー基盤データの送受信のためのプログラムを保存する。
【０１８９】
図１３は、本発明の一実施形態による基地局の内部構造を示すブロック図である。図１３に示すように、本発明の基地局は、プロセッサ１３０１、送受信部１３０２、メモリ１３０３を含む。ただし、基地局の構成要素は、上述の例に限定されるものではない。例えば、基地局は、上述の構成要素よりもさらに多くの構成要素を含むか、あるいはより少ない構成要素を含む。それだけではなく、プロセッサ１３０１、送受信部１３０２、及びメモリ１３０３が１つのチップ形態で具現される。
【０１９０】
プロセッサ１３０１は、上述の本発明の実施形態によって基地局が動作するように、一連の過程を制御する。例えば、本発明の実施形態による非直交多重接続のためのグラントフリー基盤伝送方法、グラントフリー基盤伝送資源設定方法、グラントフリー伝送資源の一部において、上向きリンクデータに対するモニタリング及び受信方法、上向きリンク制御情報受信方法、ＤＭＲＳ受信方法などを遂行するように、基地局の構成要素を制御する。送受信部１３０２は、端末と信号を送受信する。端末と送受信する信号は、制御情報と、データとを含む。このために、送受信部１３０２は、送信される信号の周波数を上昇変換及び増幅するＲＦ送信機と、受信される信号を低ノイズ増幅し、周波数を下降変換するＲＦ受信機とによって構成される。ただし、それは、送受信部１３０２の一実施形態であるのみ、送受信部１３０２の構成要素は、ＲＦ送信機及びＲＦ受信機に限定されるものではない。また、送受信部１３０２は、無線チャネルを介して信号を受信し、プロセッサ１３０１に出力し、プロセッサ１３０１から出力された信号を無線チャネルを介して伝送する。
【０１９１】
一実施形態によれば、メモリ１３０３は、基地局の動作に必要なプログラム及びデータを保存する。また、メモリ１３０３は、基地局が送受信する信号に含まれた制御情報またはデータを保存する。メモリ１３０３は、ＲＯＭ、ＲＡＭ、ハードディスク、ＣＤ−ＲＯＭ、及びＤＶＤのような記録媒体、または記録媒体の組み合わせによって構成される。また、メモリ１３０３は、複数のメモリを含む。一実施形態によれば、メモリ１３０３は、グラントフリー基盤データの送受信のためのプログラムを保存する。本明細書に記載された本発明の実施形態による方法は、ハードウェア、ソフトウェア、またはハードウェアとソフトウェアとの組み合わせ形態によって具現される（ｉｍｐｌｅｍｅｎｔｅｄ）。
【０１９２】
ソフトウェアで具現される場合、１つ以上のプログラム（ソフトウェアモジュール）を保存するコンピュータ読み取り可能な記録媒体で提供される。コンピュータ読み取り可能な記録媒体に保存される１つ以上のプログラムは、電子装置（ｄｅｖｉｃｅ）内の１つ以上のプロセッサによって実行可能になるように構成される（ｃｏｎｆｉｇｕｒｅｄ  ｆｏｒ  ｅｘｅｃｕｔｉｏｎ）。１つ以上のプログラムは、電子装置をして、本明細書に記載された本発明の実施形態による方法を実行させるる命令語（ｉｎｓｔｒｕｃｔｉｏｎｓ）を含む。
【０１９３】
このようなプログラム（ソフトウェアモジュール、ソフトウェア）は、ＲＡＭ・フラッシュ（ｆｌａｓｈ）メモリを含む不揮発性（ｎｏｎ−ｖｏｌａｔｉｌｅ）メモリ、ＲＯＭ、電気的消去可能プログラマブルＲＯＭ（ＥＥＰＲＯＭ：ｅｌｅｃｔｒｉｃａｌｌｙ  ｅｒａｓａｂｌｅ  ｐｒｏｇｒａｍｍａｂｌｅ  ｒｅａｄ  ｏｎｌｙ  ｍｅｍｏｒｙ）、磁気ディスク記憶装置（ｍａｇｎｅｔｉｃ  ｄｉｓｃ  ｓｔｏｒａｇｅ  ｄｅｖｉｃｅ）、ＣＤ−ＲＯＭ、ＤＶＤ、または他形態の光学記憶装置、マグネチックカセット（ｍａｇｎｅｔｉｃ  ｃａｓｓｅｔｔｅ）に保存される。または、それらの一部または全部の組み合わせによって構成されたメモリに保存される。また、それぞれの構成メモリは、多数個含まれてもよい。
【０１９４】
また、プログラムは、インターネット（ｉｎｔｅｒｎｅｔ）、イントラネット（Ｉｎｔｒａｎｅｔ）、ＬＡＮ（ｌｏｃａｌ  ａｒｅａ  ｎｅｔｗｏｒｋ）、ＷＬＡＮ（ｗｉｄｅ  ＬＡＮ）、またはＳＡＮ（ｓｔｏｒａｇｅ  ａｒｅａ  ｎｅｔｗｏｒｋ）のような通信ネットワーク、またはそれらの組み合わせによって構成された通信ネットワークを介してアクセスすることができる付着可能な（ａｔｔａｃｈａｂｌｅ）記憶装置（ｓｔｏｒａｇｅ  ｄｅｖｉｃｅ）にも保存される。このような記憶装置は、外部ポートを介し、本発明の実施形態を遂行する装置に接続される。また、通信ネットワーク上の別途の記憶装置が、本発明の実施形態を遂行する装置に接続されうる。
【０１９５】
上述の本発明の具体的な実施形態において、本発明に含まれる構成要素は、提示された具体的な実施形態により、単数または複数で表現された。しかし、単数または複数の表現は、説明の便宜のために提示された状況に適して選択されたものであり、本発明は、単数または複数の構成要素に限定されるものではなく、複数で表現された構成要素であっても、単数で構成されるか、あるいは単数で表現された構成要素であっても、複数で構成されうる。
【０１９６】
なお、本明細書と図面とに開示された本発明の実施形態は、本発明の記載内容を容易に説明し、本発明の理解の一助とするために特定の例を提示したものであって、本発明の技術範囲を限定するものではない。すなわち、本発明の技術的思想に基づいた他の変形例が実施可能であるということは、本発明の属する技術分野の当業者には自明である。また、上記それぞれの実施形態は、必要によって、互いに組み合わされて運用することができる。例えば、本発明の一実施形態とは異なる実施形態の一部分が互いに組み合わされ、基地局と端末とが運用されうる。また、本発明の実施形態は、他の通信システムでも適用可能であり、本実施形態の技術的思想に基づいた他の変形例も、実施可能である。
【符号の説明】
【０１９７】
１０１    資源要素
１０２    ＯＦＤＭシンボル
１０３    副搬送波
２００    フレーム
２０１    サブフレーム
２０２、２０３    スロット
３００、４００、５０４    ビットシーケンス
３０１、４０３    ＦＥＣ
３０２    ビットレベルスクランブラ
３０３    変調器
３０４、４０６    シンボル・ツー・ＲＥマッパ
４０１    ビットレベル動作
４０２    シンボルレベル動作
４０４    ビットレベルインターリーバ／スクランブラ
４０５    変調されたシンボルシーケンス生成器
５００    受信された信号
５０１    検出器
５０２    デコーダ
５０３    干渉除去器
６００    資源（資源領域）
６０１、７０１    時間割り当て情報
６０２、７０２    周波数割り当て情報
６０３、７０３    周期情報
７００、１０００    設定された資源
７０４、１００７    使用された資源
１００１    固定された資源
１００２    柔軟な資源
１００３    スケジューリング情報
１２０１、１３０１    プロセッサ
１２０２、１３０２    送受信部
１２０３、１３０３    メモリ
【図１】
2021533700.tif 000024
【図２】
2021533700.tif 000025
【図３】
2021533700.tif 000026
【図４】
2021533700.tif 000027
【図５】
2021533700.tif 000028
【図６】
2021533700.tif 000029
【図７】
2021533700.tif 000030
【図８】
2021533700.tif 000031
【図９】
2021533700.tif 000032
【図１０】
2021533700.tif 000033
【図１１】
2021533700.tif 000034
【図１２】
2021533700.tif 000035
【図１３】
2021533700.tif 000036
【国際調査報告】
2021533700.tif 000037
2021533700.tif 000038
2021533700.tif 000039
2021533700.tif 000040